(57)【要約】制御シグナリング検出方法及び装置、並びに制御シグナリング検出を実現する方法及び装置であって、各ｅＰＤＣＣＨリソースセットに割り当てられたブラインド検出回数またはｅＰＤＣＣＨの個数を確定し、さらに各ｅＰＤＣＣＨリソースセットにおける検出すべきｅＰＤＣＣＨを確定することができる。【選択図】図６
2015529430.tif 000002
【特許請求の範囲】
【請求項１】
制御シグナリング検出方法であって、
サブフレームＳにおいて、端末がＫ個の強化型物理ダウンリンク制御チャンネル（ｅＰＤＣＣＨ）リソースセット内に制御シグナリングを検出し、端末がｅＰＤＣＣＨリソースセットにおけるセット（Ｓｅｔ）ｉに検出したｅＰＤＣＣＨの個数がＸ(ｉ)であり、ｉが整数であり、０<ｉ<=Ｋであり、少なくとも１つのＸ（ｉ）が第１タイプのパラメータに基づいて確定され、前記第１タイプのパラメータが少なくともＫ値またはＫ値とｅＰＤＣＣＨリソースセットのインデックスｉを含むこと、を含むことを特徴とする方法。
【請求項２】
第１タイプのパラメータは、少なくともＫ値、インデックスｉ及びＫ個のｅＰＤＣＣＨリソースセットのＮ値を含み、または、
第１タイプのパラメータは、少なくともＫ値、インデックスｉ及びＳｅｔ  ｉのＮ値を含み、または、
第１タイプのパラメータは、少なくともＫ値、インデックスｉ及びＫ個のｅＰＤＣＣＨリソースセットのＤ/Ｌタイプの配置を含み、または、
第１タイプのパラメータは、少なくともＫ値、インデックスｉ及びＳｅｔ  ｉのＤ/Ｌタイプの配置を含み、または、
第１タイプのパラメータは、少なくともＫ値、インデックスｉ、Ｋ個のｅＰＤＣＣＨリソースセットに対応するＤ/Ｌタイプ及びＫ個のｅＰＤＣＣＨリソースセットのＮ値を含むことを特徴とする、請求項１に記載の方法。
【請求項３】
第１タイプのパラメータは、更に上位層のｅＰＤＣＣＨ候補（ｃａｎｄｉｄａｔｅｓ）の個数またはブラインド検出回数の割り当てシグナリングを含み、または、
第１タイプのパラメータは、更にサブフレームＳにおける強化型制御チャンネルユニット（ｅＣＣＥ）に含まれる強化型リソースエレメントグループ（ｅＲＥＧ）の数を含み、または、
第１タイプのパラメータは、更にＳｅｔ  ｉにおける検出すべき集約レベルまたはＫ個のｅＰＤＣＣＨリソースセットにおける検出すべき集約レベルを含むことを特徴とする、請求項２に記載の方法。
【請求項４】
第１タイプのパラメータは、更にサブフレームタイプ及び/または、サブフレームＳにおけるＤＣＩ  Ｆｏｒｍａｔ（フォーマット）に対応する符号化速度、サブフレームＳにおける物理リソースブロックペア（ＰＲＢ  ｐａｉｒ）におけるｅＰＤＣＣＨを伝送するために使用可能なリソースエレメント（ＲＥ）の数、サブフレームＳにおけるｅＣＣＥにおけるｅＰＤＣＣＨを伝送するために使用可能なＲＥの数のうちの１つを含むことを特徴とする、請求項１〜３のいずれか１項に記載の方法。
【請求項５】
前記サブフレームのタイプは、少なくとも、ＮＣＰの多種のタイプのＴＤＤ特殊サブフレーム、ＥＣＰの多種のタイプのＴＤＤ特殊サブフレーム、ＮＣＰの一般的なサブフレーム、ＥＣＰの一般的なサブフレームのうちの１つを含むことを特徴とする、請求項１に記載の方法。
【請求項６】
制御シグナリング検出方法であって、
サブフレームＳにおいて、端末がＫ個のｅＰＤＣＣＨリソースセット内に制御シグナリングを検出し、端末がｅＰＤＣＣＨリソースセットにおけるセット（Ｓｅｔ）ｉに検出したｅＰＤＣＣＨの個数がＸ(ｉ)であり、ｉが整数であり、０<ｉ<=Ｋであり、少なくとも１つのＸ（ｉ）が第１タイプのパラメータに基づいて確定され、第１タイプのパラメータが少なくともＳｅｔ  ｉに検出される集約レベルセットまたはＫ個のｅＰＤＣＣＨリソースセットにそれぞれ対応する、検出される集約レベルセットを含むことを、含むことを特徴とする方法。
【請求項７】
第１タイプのパラメータは、少なくとも更にＳｅｔ  ｉのＤ/Ｌタイプを含み、または、
第１タイプのパラメータは、少なくとも更にＫ個のｅＰＤＣＣＨリソースセットのＤ/Ｌタイプを含み、または、
第１タイプのパラメータは、少なくとも更にＳｅｔ  ｉのＮ値を含み、または、
第１タイプのパラメータは、少なくとも更にＫ個のｅＰＤＣＣＨリソースセットのＮ値を含み、または、
第１タイプのパラメータは、少なくとも更にＳｅｔ  ｉのｅＰＤＣＣＨリソースセットのＮ値とＤ/Ｌタイプを含み、または、
第１タイプのパラメータは、少なくとも更にＫ個のｅＰＤＣＣＨリソースセットのＮ値とこのＫ個のｅＰＤＣＣＨリソースセットのＤ/Ｌタイプを含み、または、
第１タイプのパラメータは、少なくとも更に上位層のｅＰＤＣＣＨ候補（ｃａｎｄｉｄａｔｅｓ）の個数またはブラインド検出回数の割り当てシグナリングを含み、または、
第１タイプのパラメータは、少なくとも更にサブフレームＳにおけるｅＣＣＥに含まれるｅＲＥＧの数を含むことを特徴とする、請求項６に記載の方法。
【請求項８】
第１タイプのパラメータは、少なくとも更にサブフレームタイプ及び/または、サブフレームＳにおけるＤＣＩ  Ｆｏｒｍａｔに対応する符号化速度、サブフレームＳにおけるＰＲＢ  ｐａｉｒにおけるｅＰＤＣＣＨを伝送するために使用可能なＲＥ数、サブフレームＳにおけるｅＣＣＥにおけるｅＰＤＣＣＨを伝送するために使用可能なＲＥ数のうちの１つを含むことを特徴とする、請求項６または７に記載の方法。
【請求項９】
前記サブフレームのタイプは、少なくとも、ＮＣＰの多種のタイプのＴＤＤ特殊サブフレーム、ＥＣＰの多種のタイプのＴＤＤ特殊サブフレーム、ＮＣＰの一般的なサブフレーム、ＥＣＰの一般的なサブフレームのうちの１つを含むことを特徴とする、請求項６に記載の方法。
【請求項１０】
任意に指定された集約レベルに対して、当該集約レベルにおいてＫ個のｅＰＤＣＣＨリソースセットのｅＰＤＣＣＨの総計数は、常数（Ｃｏｎｓｔａｎｔ）であり、Ｋが６以下の任意の整数であることを特徴とする、請求項６に記載の方法。
【請求項１１】
制御シグナリング検出方法であって、
サブフレームＳにおいて、端末がＫ個のｅＰＤＣＣＨリソースセット内に制御シグナリングを検出し、端末がｅＰＤＣＣＨリソースセットにおけるセット（Ｓｅｔ）ｉに検出したｅＰＤＣＣＨの個数がＸ(ｉ)であり、ｉが整数であり、０<ｉ<=Ｋであり、少なくとも１つのＸ（ｉ）が第１タイプのパラメータに基づいて確定され、第１タイプのパラメータが少なくとも上位層のブラインド検出回数割り当てシグナリングを含むこと、を含むことを特徴とする方法。
【請求項１２】
第１タイプのパラメータは、少なくとも更にサブフレームタイプ及び/または、サブフレームＳにおけるＤＣＩ  Ｆｏｒｍａｔに対応する符号化速度、サブフレームＳにおけるＰＲＢ  ｐａｉｒにおけるｅＰＤＣＣＨを伝送するために使用可能なＲＥ数、サブフレームＳにおけるｅＣＣＥにおけるｅＰＤＣＣＨを伝送するために使用可能なＲＥ数のうちの１つを含むことを特徴とする、請求項１１に記載の方法。
【請求項１３】
第１タイプのパラメータは、少なくとも更にサブフレームＳにおけるｅＣＣＥに含まれるｅＲＥＧの数を含むことを特徴とする、請求項１１または１２に記載の方法。
【請求項１４】
前記サブフレームのタイプは、少なくとも、ＮＣＰの多種のタイプのＴＤＤ特殊サブフレーム、ＥＣＰの多種のタイプのＴＤＤ特殊サブフレーム、ＮＣＰの一般的なサブフレーム、ＥＣＰの一般的なサブフレームのうちの１つを含むことを特徴とする、請求項１１に記載の方法。
【請求項１５】
制御シグナリング検出方法であって、
サブフレームＳにおいて、端末がＫ個のｅＰＤＣＣＨリソースセット内に制御シグナリングを検出し、端末がｅＰＤＣＣＨリソースセットにおけるセット（Ｓｅｔ）ｉに検出したｅＰＤＣＣＨの個数がＸ(ｉ)であり、ｉが整数であり、０<ｉ<=Ｋであり、少なくとも１つのＸ（ｉ）が第１タイプのパラメータに基づいて確定され、第１タイプのパラメータが少なくともサブフレームＳにおけるｅＣＣＥに含まれるｅＲＥＧの数を含むこと、を含むことを特徴とする方法。
【請求項１６】
制御シグナリング検出装置であって、
サブフレームＳにおいて、Ｋ個のｅＰＤＣＣＨリソースセット内に制御シグナリングを検出し、ｅＰＤＣＣＨリソースセットにおけるセット（Ｓｅｔ）ｉに検出されたｅＰＤＣＣＨの個数がＸ(ｉ)であり、ｉが整数であり、０<ｉ<=Ｋであり、少なくとも１つのＸ（ｉ）が第１タイプのパラメータに基づいて確定され、前記第１タイプのパラメータが少なくともＫ値またはＫ値とｅＰＤＣＣＨリソースセットのインデックスｉを含むように配置されることを特徴とする装置。
【請求項１７】
第１タイプのパラメータは、少なくともＫ値、インデックスｉ及びＫ個のｅＰＤＣＣＨリソースセットのＮ値を含み、または、
第１タイプのパラメータは、少なくともＫ値、インデックスｉ及びＳｅｔ  ｉのＮ値を含み、または、
第１タイプのパラメータは、少なくともＫ値、インデックスｉ及びＫ個のｅＰＤＣＣＨリソースセットのＤ/Ｌタイプの配置を含み、または、
第１タイプのパラメータは、少なくともＫ値、インデックスｉ及びＳｅｔ  ｉのＤ/Ｌタイプの配置を含み、または、
第１タイプのパラメータは、少なくともＫ値、インデックスｉ、Ｋ個のｅＰＤＣＣＨリソースセットに対応するＤ/Ｌタイプ及びＫ個のｅＰＤＣＣＨリソースセットのＮ値を含むことを特徴とする、請求項１６に記載の装置。
【請求項１８】
第１タイプのパラメータは、更に上位層のｅＰＤＣＣＨ候補（ｃａｎｄｉｄａｔｅｓ）の個数またはブラインド検出回数の割り当てシグナリングを含み、または、
第１タイプのパラメータは、更にサブフレームＳにおけるｅＣＣＥに含まれる強化型リソースエレメントグループ（ｅＲＥＧ）数を含み、または、
第１タイプのパラメータは、更にＳｅｔ  ｉにおける検出すべき集約レベルまたはＫ個のｅＰＤＣＣＨリソースセットにおける検出すべき集約レベルを含むことを特徴とする、請求項１７に記載の装置。
【請求項１９】
第１タイプのパラメータは、更にサブフレームタイプ及び/または、サブフレームＳにおけるＤＣＩ  Ｆｏｒｍａｔに対応する符号化速度、サブフレームＳにおけるＰＲＢ  ｐａｉｒにおけるｅＰＤＣＣＨを伝送するために使用可能なＲＥ数、サブフレームＳにおけるｅＣＣＥにおけるｅＰＤＣＣＨを伝送するために使用可能なＲＥ数のうちの１つを含むことを特徴とする、請求項１６〜１８のいずれか１項に記載の装置。
【請求項２０】
前記サブフレームのタイプは、少なくとも、ＮＣＰの多種のタイプのＴＤＤ特殊サブフレーム、ＥＣＰの多種のタイプのＴＤＤ特殊サブフレーム、ＮＣＰの一般的なサブフレーム、ＥＣＰの一般的なサブフレームのうちの１つを含むことを特徴とする、請求項１６に記載の装置。
【請求項２１】
前記装置は、端末であることを特徴とする、請求項１６に記載の装置。
【請求項２２】
制御シグナリング検出装置であって、
サブフレームＳにおいて、Ｋ個のｅＰＤＣＣＨリソースセット内に制御シグナリングを検出し、ｅＰＤＣＣＨリソースセットにおけるセット（Ｓｅｔ）ｉに検出されたｅＰＤＣＣＨの個数がＸ(ｉ)であり、ｉが整数であり、０<ｉ<=Ｋであり、少なくとも１つのＸ（ｉ）が第１タイプのパラメータに基づいて確定され、第１タイプのパラメータが少なくともＳｅｔ  ｉに検出される集約レベルセットまたはＫ個のｅＰＤＣＣＨリソースセットにそれぞれ対応する、検出される集約レベルセットを含むように配置されることを特徴とする装置。
【請求項２３】
第１タイプのパラメータは、少なくとも更にＳｅｔ  ｉのＤ/Ｌタイプを含み、または、
第１タイプのパラメータは、少なくとも更にＫ個のｅＰＤＣＣＨリソースセットのＤ/Ｌタイプを含み、または、
第１タイプのパラメータは、少なくとも更にＳｅｔ  ｉのＮ値を含み、または、
第１タイプのパラメータは、少なくとも更にＫ個のｅＰＤＣＣＨリソースセットのＮ値を含み、または、
第１タイプのパラメータは、少なくとも更にＳｅｔ  ｉのｅＰＤＣＣＨリソースセットのＮ値とＤ/Ｌタイプを含み、または、
第１タイプのパラメータは、少なくとも更にＫ個のｅＰＤＣＣＨリソースセットのＮ値とこのＫ個のｅＰＤＣＣＨリソースセットのＤ/Ｌタイプを含み、または、
第１タイプのパラメータは、少なくとも更に上位層のｅＰＤＣＣＨ候補（ｃａｎｄｉｄａｔｅｓ）の個数またはブラインド検出回数の割り当てシグナリングを含み、または、
第１タイプのパラメータは、少なくとも更にサブフレームＳにおけるｅＣＣＥに含まれるｅＲＥＧの数を含むことを特徴とする、請求項２２に記載の装置。
【請求項２４】
第１タイプのパラメータは、少なくとも更にサブフレームタイプ及び/または、サブフレームＳにおけるＤＣＩ  Ｆｏｒｍａｔに対応する符号化速度、サブフレームＳにおけるＰＲＢ  ｐａｉｒにおけるｅＰＤＣＣＨを伝送するために使用可能なＲＥ数、サブフレームＳにおけるｅＣＣＥにおけるｅＰＤＣＣＨを伝送するために使用可能なＲＥ数のうちの１つを含むことを特徴とする、請求項２２または２３に記載の装置。
【請求項２５】
前記サブフレームのタイプは、少なくとも、ＮＣＰの多種のタイプのＴＤＤ特殊サブフレーム、ＥＣＰの多種のタイプのＴＤＤ特殊サブフレーム、ＮＣＰの一般的なサブフレーム、ＥＣＰの一般的なサブフレームのうちの１つを含むことを特徴とする、請求項２２に記載の装置。
【請求項２６】
任意に指定された集約レベルに対して、当該集約レベルにおいてＫ個のｅＰＤＣＣＨリソースセットのｅＰＤＣＣＨの総計数は、常数であり、Ｋが６以下の任意の整数であることを特徴とする、請求項２２に記載の装置。
【請求項２７】
前記装置は、端末であることを特徴とする請求項２２に記載の装置。
【請求項２８】
制御シグナリング検出装置であって、
サブフレームＳにおいて、Ｋ個のｅＰＤＣＣＨリソースセット内に制御シグナリングを検出し、ｅＰＤＣＣＨリソースセットにおけるセット（Ｓｅｔ）ｉに検出されたｅＰＤＣＣＨの個数がＸ(ｉ)であり、ｉが整数であり、０<ｉ<=Ｋであり、少なくとも１つのＸ（ｉ）が第１タイプのパラメータに基づいて確定され、第１タイプのパラメータが少なくとも上位層のブラインド検出回数割り当てシグナリングを含むように配置されることを特徴とする装置。
【請求項２９】
第１タイプのパラメータは、少なくとも更にサブフレームタイプ及び/または、サブフレームＳにおけるＤＣＩ  Ｆｏｒｍａｔに対応する符号化速度、サブフレームＳにおけるＰＲＢ  ｐａｉｒにおけるｅＰＤＣＣＨを伝送するために使用可能なＲＥ数、サブフレームＳにおけるｅＣＣＥにおけるｅＰＤＣＣＨを伝送するために使用可能なＲＥ数のうちの１つを含むことを特徴とする、請求項２８に記載の装置。
【請求項３０】
第１タイプのパラメータは、少なくとも更にサブフレームＳにおけるｅＣＣＥに含まれるｅＲＥＧの数を含むことを特徴とする、請求項２８または２９に記載の装置。
【請求項３１】
前記サブフレームのタイプは、少なくとも、ＮＣＰの多種のタイプのＴＤＤ特殊サブフレーム、ＥＣＰの多種のタイプのＴＤＤ特殊サブフレーム、ＮＣＰの一般的なサブフレーム、ＥＣＰの一般的なサブフレームのうちの１つを含むことを特徴とする、請求項２８に記載の装置。
【請求項３２】
前記装置は、端末であることを特徴とする請求項２８に記載の装置。
【請求項３３】
制御シグナリング検出装置であって、
サブフレームＳにおいて、Ｋ個のｅＰＤＣＣＨリソースセット内に制御シグナリングを検出し、ｅＰＤＣＣＨリソースセットにおけるセット（Ｓｅｔ）ｉに検出されたｅＰＤＣＣＨの個数がＸ(ｉ)であり、ｉが整数であり、０<ｉ<=Ｋであり、少なくとも１つのＸ（ｉ）が第１タイプのパラメータに基づいて確定され、第１タイプのパラメータが少なくともｅＣＣＥに含まれるｅＲＥＧ数を含むように配置されることを特徴とする装置。
【請求項３４】
前記装置は、端末であることを特徴とする、請求項３３に記載の装置。
【請求項３５】
制御シグナリング検出を実現する方法であって、
基地局がシグナリングにより各ｅＰＤＣＣＨリソースセット（Ｓｅｔ）ｉにおける検出すべき候補（ｃａｎｄｉｄａｔｅｓ）の個数またはブラインド検出回数を通知することを含むことを特徴とする方法。
【請求項３６】
基地局は、Ｋの情報、Ｓｅｔインデックス情報及び検出すべき候補（ｃａｎｄｉｄａｔｅｓ）の個数を共同で符号化して通知し、または、
基地局は、Ｋの情報、Ｋ個のｅＰＤＣＣＨリソースセットのＮ値及び検出すべき候補（ｃａｎｄｉｄａｔｅｓ）の個数を共同で符号化して通知し、または、
基地局は、Ｋの情報、Ｓｅｔ  ｉのＮ値情報を共同で符号化して通知し、または、
基地局は、Ｋの情報、Ｋ個のｅＰＤＣＣＨリソースセットのＤ/Ｌタイプ及び検出すべき候補（ｃａｎｄｉｄａｔｅｓ）の個数を共同で符号化して通知し、または、
基地局は、Ｋの情報、Ｋ個のｅＰＤＣＣＨリソースセットのＤ/Ｌタイプ、Ｎ値及び検出すべき候補（ｃａｎｄｉｄａｔｅｓ）の個数を共同で符号化して通知し、または、
基地局は、Ｋの情報、Ｋ個のｅＰＤＣＣＨリソースセットの検出すべき候補（ｃａｎｄｉｄａｔｅｓ）の個数を共同で符号化して通知し、または、
基地局は、Ｓｅｔの検出すべき集約レベル情報及び検出すべき候補（ｃａｎｄｉｄａｔｅｓ）の個数を共同で符号化して通知し、または、
基地局は、Ｋ個のＳｅｔの検出すべき集約レベル情報及びＫ個のＳｅｔの検出すべき候補（ｃａｎｄｉｄａｔｅｓ）の個数を共同で符号化して通知し、または、
基地局は、Ｋ個のＳｅｔの検出すべき集約レベル情報及びＫ個のＳｅｔ検出すべき候補（ｃａｎｄｉｄａｔｅｓ）の個数、及びＫ個のＳｅｔのＤ/Ｌタイプを共同で符号化して通知し、または、
基地局は、Ｓｅｔ  ｉの検出すべき候補（ｃａｎｄｉｄａｔｅｓ）の個数及びＳｅｔ  ｉのＤ/Ｌタイプを共同で符号化して通知し、または、
基地局は、Ｋ個のＳｅｔの検出すべき集約レベル情報、Ｋ個のＳｅｔの検出すべき候補（ｃａｎｄｉｄａｔｅｓ）の個数、Ｋ個のＳｅｔのＤ/Ｌタイプ及びＫ個のＳｅｔのＮ値を共同で符号化して通知し、または、
基地局は、Ｓｅｔ  ｉの検出すべき候補（ｃａｎｄｉｄａｔｅｓ）の個数、Ｓｅｔ  ｉのＤ/Ｌタイプ、及びＮ値情報を共同で符号化して通知することを特徴とする、請求項３５に記載の方法。
【請求項３７】
基地局は、異なるｅＣＣＥに含まれるｅＲＥＧの個数の状況に対して、対応するブラインド検出回数割り当て情報をそれぞれ通知することをさらに含むことを特徴とする、請求項３５または３６に記載の方法。
【請求項３８】
制御シグナリング検出を実現する装置であって、
シグナリングにより各ｅＰＤＣＣＨリソースセット（Ｓｅｔ）ｉにおける検出すべき候補（ｃａｎｄｉｄａｔｅｓ）の個数またはブラインド検出回数を通知するように配置されることを特徴とする装置。
【請求項３９】
前記装置は、
Ｋの情報、Ｓｅｔインデックス情報及び検出すべき候補（ｃａｎｄｉｄａｔｅｓ）の個数を共同で符号化して通知し、または、
Ｋの情報、Ｋ個のｅＰＤＣＣＨリソースセットのＮ値及び検出すべき候補（ｃａｎｄｉｄａｔｅｓ）の個数を共同で符号化して通知し、または、
Ｋの情報、Ｓｅｔ  ｉのＮ値情報を共同で符号化して通知し、または、
Ｋの情報、Ｋ個のｅＰＤＣＣＨリソースセットのＤ/Ｌタイプ及び検出すべき候補（ｃａｎｄｉｄａｔｅｓ）の個数を共同で符号化して通知し、または、
Ｋの情報、Ｋ個のｅＰＤＣＣＨリソースセットのＤ/Ｌタイプ、Ｎ値及び検出すべき候補（ｃａｎｄｉｄａｔｅｓ）の個数を共同で符号化して通知し、または、
Ｋの情報、Ｋ個のｅＰＤＣＣＨリソースセットの検出すべき候補（ｃａｎｄｉｄａｔｅｓ）の個数を共同で符号化して通知し、または、
Ｓｅｔの検出すべき集約レベル情報及び検出すべき候補（ｃａｎｄｉｄａｔｅｓ）の個数を共同で符号化して通知し、または、
Ｋ個Ｓｅｔの検出すべき集約レベル情報及びＫ個のＳｅｔの検出すべき候補（ｃａｎｄｉｄａｔｅｓ）の個数を共同で符号化して通知し、または、
Ｋ個のＳｅｔの検出すべき集約レベル情報及びＫ個のＳｅｔの検出すべき候補（ｃａｎｄｉｄａｔｅｓ）の個数、及びＫ個のＳｅｔのＤ/Ｌタイプを共同で符号化して通知し、または、
Ｓｅｔ  ｉの検出すべき候補（ｃａｎｄｉｄａｔｅｓ）の個数、及びＳｅｔ  ｉのＤ/Ｌタイプを共同で符号化して通知し、または、
Ｋ個のＳｅｔの検出すべき集約レベル情報、Ｋ個のＳｅｔの検出すべき候補（ｃａｎｄｉｄａｔｅｓ）の個数、Ｋ個のＳｅｔのＤ/Ｌタイプ、及びＫ個のＳｅｔのＮ値を共同で符号化して通知し、または、
Ｓｅｔ  ｉの検出すべき候補（ｃａｎｄｉｄａｔｅｓ）の個数、Ｓｅｔ  ｉのＤ/Ｌタイプ、及びＮ値情報を共同で符号化して通知するように配置されることを特徴とする、請求項３８に記載の装置。
【請求項４０】
前記装置は、更に、異なるｅＣＣＥに含まれるｅＲＥＧの個数の状況に対して、対応するブラインド検出回数割り当て情報をそれぞれ通知するように配置されることを特徴とする、請求項３８または３９に記載の装置。
【請求項４１】
前記装置は、基地局であることを特徴とする、請求項３８に記載の装置。
【発明の詳細な説明】
【技術分野】
【０００１】
本発明は、通信分野に関し、具体的に制御シグナリング検出方法及び装置、並びに制御シグナリング検出を実現する方法及び装置に関する。
【背景技術】
【０００２】
長期発展型（ＬＴＥ：Ｌｏｎｇ  ｔｅｒｍ  ｅｖｏｌｕｔｉｏｎ）システム及び改善されたＬＴＥ（ＬＴＥ-Ａｄｖａｎｃｅ）システムにおいて、ダウンリンク物理層制御シグナリングは、リソース伝送位置、符号変調モードなどの種々の伝送に関する情報を指示するように、端末（例えば、ユーザ端末（ＵＥ）が知る必要があるダウンリンク伝送に関するダウンリンクグラント（ＤＬ  Ｇｒａｎｔ）情報、及び、端末が知る必要があるアップリンク伝送に関するアップリンクグラント（ＵＬ  Ｇｒａｎｔ）情報を含み、これらの物理層制御シグナリングは、物理ダウンリンク制御チャンネル（ＰＤＣＣＨ：Ｐｈｙｓｉｃａｌ  Ｄｏｗｎｌｉｎｋ  Ｃｏｎｔｒｏｌ  ｃｈａｎｎｅｌ）に伝送される。前記物理層制御シグナリングは、主に物理層のユーザ専用制御シグナリングを意味している。
【０００３】
ＬＴＥシステムのリリース（Ｒ：Ｒｅｌｅａｓｅ）８/９及びＬＴＥ-ＡｄｖａｎｃｅシステムのＲ１０において、物理層制御シグナリングを伝送する物理層制御チャンネルは、一般的に前のＮ個の直交周波数分割多重（ＯＦＤＭ：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボルに配置され、このＮ個のシンボルが一般的に制御シグナリング伝送エリアと称される。
【０００４】
既存の制御シグナリング伝送エリア（第１１の制御シグナリング伝送エリア、第１の制御シグナリングエリア）の使用可能な伝送リソースは、複数の制御チャンネルユニット（ＣＣＥ）のリソースエレメントに分割され、制御シグナリングに占有されたリソースは、ＣＣＥをエレメントとして割り当てられ、リソースエレメントとして、ＣＣＥがさらにリソースエレメントグループ（ＲＥＧ）に詳しく分割されることができ、１つのＣＣＥが複数の不連続なＲＥＧｓから構成され、一般的に９個のＲＥＧｓが１つのＣＣＥを構成し、各ＲＥＧが複数の基本的なリソースエレメントから構成される。
【０００５】
専用および共通の制御シグナリングは、すべてＣＣＥをリソースエレメントとして伝送され、その後、対応するＲＥＧリソースにマッピングされ、更に複数の物理リソースブロックペア（ＰＲＢ  ｐａｉｒがＰＲＢと略称されてもよい）のＲＥ（Ｒｅｓｏｕｒｃｅｅｌｅｍｅｎｔ、一番小さいリソースエレメント）にマッピングされる。
【０００６】
端末は、一般的に、専用制御シグナリング、共通制御シグナリングの開始位置を計算することでブラインド検出を行い、通常、主に専用制御シグナリングに関心を持つ。ブラインド検出の集約レベル（ＡＬ：ＡｇｇｒｅｇａｔｉｏｎＬｅｖｅｌ）とブラインド検出の回数は、表１に示される。
【０００７】
【表１】
2015529430.tif 000003
【０００８】
表１より分かるように、ユーザに割り当てられた制御シグナリング伝送リソースは、連続ではないので、マルチアンテナシステムにおけるクローズドループプリコーディング技術の実施に多くの困難を与え、制御シグナリングエリアがダイバーシチ技術しか使用できず、クローズドループプリコーディング技術の使用は、困難になる。
【０００９】
Ｒ１０の後のリリースにおいて、制御チャンネルの伝送容量を向上させ、制御シグナリングがより多くのユーザをサポートすることが可能となるめに、新しい制御チャンネルエリア（第２の制御シグナリング伝送エリア、第２の制御シグナリングエリア）を開き、かつクローズドループプリコーディング技術をサポートするように同一の端末の制御シグナリング伝送リソースが連続的な時間周波数リソースであってよく、制御シグナリングの伝送性能が向上される。
【００１０】
図１に示すように、新旧リリースの制御シグナリングエリアは、元のＲ８/９/１０の物理ダウンリンク共有チャンネル（ＰＤＳＣＨ）伝送エリアに新しい制御シグナリング伝送エリアに用いられる一部の伝送リソースを割り当てることができ、制御シグナリングの伝送がクローズドループプリコーディング技術をサポートし、制御シグナリングの容量が向上され、そのためより多くのユーザの制御シグナリングをサポートすることができる。第２の制御シグナリングエリアに伝送される制御チャンネルを第２の制御チャンネルまたは強化型ＰＤＣＣＨ（ｅＰＤＣＣＨ：ｅｎｈａｎｃｅｄ  ＰＤＣＣＨ）と称することができる。
【００１１】
以下、それぞれ検出リソース粒度、ｅＰＤＣＣＨ伝送の位置（ｅＰＤＣＣＨ ｃａｎｄｉｄａｔｅｓ）パイロットポート、伝送モードなどの面からｅＰＤＣＣＨの検出方法を説明する。
【００１２】
一般的に言えば、基地局は、まずｅＰＤＣＣＨリソースセット（ｒｅｓｏｕｒｃｅ  ｓｅｔ）を端末に通知する。基地局と端末は、さらに、基本的なリソース割り当てエレメントを約束し、その後、幾つの占有リソースのサイズ（一般的に１個以上のリソース割り当てエレメントの集約）を約束し、Ｎ個のリソース割り当てエレメントの集約が集約レベルＮと称される。一般的に１個の基本的なリソースエレメント強化型制御チャンネルユニット（ｅＣＣＥ）が定義され、ｅＣＣＥとＣＣＥの機能が類似し、第２の制御エリアにおいて、ｅＣＣＥは、ＣＣＥの定義を借用するまたはわずか変更してよいし、新たに定義してもよく、ｅＣＣＥのサイズ（ｓｉｚｅ）が固定されるまたは変化することができる。ｅＣＣＥは、図２、３に示すＤｉｓｔｒｉｂｕｔｅｄ  ｅＣＣＥ（分散型ｅＣＣＥ、Ｄ−ｅＣＣＥ）とＬｏｃａｌｉｚｅｄ  ｅＣＣＥ（集中型ｅＣＣＥ、Ｌ−ｅＣＣＥ）を含むことができる。
【００１３】
制御シグナリングは、ｅＣＣＥに基づいて異なる集約レベルを定義することができ、例えば、Ｌｏｃａｌｉｚｅｄタイプの集約レベルセットが{１、２、４、８}または{１、２、４、８、１６}であると、異なる集約レベルが異なるリソースサイズを表す。Ｄｉｓｔｒｉｂｕｔｅｄタイプの集約レベルセットは、{１、２、４、８、１６}または{１、２、４、８、１６、３２}であり、そのため、端末は、ターゲットを絞って対応する集約レベルをブラインド検出することができる。
【００１４】
表２または３に示すように、現在、ある具体的な状況に応じて選択可能な、検出用の集約レベル総セットを確定することができる。
【００１５】
【表２】
2015529430.tif 000004
【表３】
2015529430.tif 000005
【００１６】
基地局は、端末に複数のｅＰＤＣＣＨリソースセットを配置する可能性があり、各ｅＰＤＣＣＨリソースセットが１種のＬｏｃａｌｉｚｅｄタイプのタイプ（Ｌタイプと略称されてよい）またはＤｉｓｔｒｉｂｕｔｅｄタイプのタイプ（Ｄタイプと略称されてよい）に唯一に対応することができる。ｅＰＤＣＣＨリソースセットのタイプとｅＰＤＣＣＨ伝送タイプは、同一の概念であり、ｅＰＤＣＣＨリソースセットのタイプとｅＰＤＣＣＨ伝送タイプは、ＬｏｃａｌｉｚｅｄまたはＤｉｓｔｒｉｂｕｔｅｄであってもよい。前記タイプとは、Ｄｉｓｔｒｉｂｕｔｅｄタイプに配置されると、ｅＰＤＣＣＨリソースセット内にＤｉｓｔｒｉｂｕｔｅｄタイプのｅＰＤＣＣＨのみを伝送または検出し、Ｌｏｃａｌｉｚｅｄタイプに配置されると、ｅＰＤＣＣＨリソースセット内にＬｏｃａｌｉｚｅｄタイプのｅＰＤＣＣＨのみを伝送または検出することを意味している。
【００１７】
一般的に言えば、ＤｉｓｔｒｉｂｕｔｅｄタイプのｅＰＤＣＣＨリソースセット内にＤｉｓｔｒｉｂｕｔｅｄ  ｅＰＤＣＣＨが検出される場合、Ｌ−ｅＣＣＥの集約に従って検出することができる。ＬｏｃａｌｉｚｅｄタイプのｅＰＤＣＣＨリソースセット内にＬｏｃａｌｉｚｅｄｅ  ＰＤＣＣＨが検出される場合、一般的にＬｏｃａｌｉｚｅｄ  ｅＣＣＥの集約に従って検出する。
【００１８】
端末が複雑さの制限を受けて、ブラインド検出総回数を一定の程度で制限するので、より少ないｅＰＤＣＣＨリソースセットとより多くのｅＰＤＣＣＨリソースセットが配置された場合のブラインド検出総回数の差は、小さいべきである。したがって、解決すべき技術的問題は、各ｅＰＤＣＣＨリソースセットに割り当てられたブラインド検出回数またはｅＰＤＣＣＨの個数を如何に確定するかことである。それによって各ｅＰＤＣＣＨリソースセットにおける検出すべきｅＰＤＣＣＨを更に確定する。
【発明の概要】
【発明が解決しようとする課題】
【００１９】
これを鑑みて、本発明の実施形態の主な目的は、各ｅＰＤＣＣＨリソースセットに割り当てられたブラインド検出回数またはｅＰＤＣＣＨの個数を確定し、さらに各ｅＰＤＣＣＨリソースセットにおける検出すべきｅＰＤＣＣＨを確定するように、制御シグナリング検出方法及び装置、並びに制御シグナリング検出を実現する方法及び装置を提供することにある。
【課題を解決するための手段】
【００２０】
上記の目的を達成するために、本発明の実施形態の技術的スキームは、このように実現される。
【００２１】
制御シグナリング検出方法は、
サブフレームＳにおいて、端末がＫ個の強化型物理ダウンリンク制御チャンネル（ｅＰＤＣＣＨ）リソースセット内に制御シグナリングを検出し、端末がｅＰＤＣＣＨリソースセットにおけるセット（Ｓｅｔ）ｉに検出したｅＰＤＣＣＨの個数がＸ(ｉ)であり、ｉが整数であり、０<ｉ<=Ｋ、少なくとも１つのＸ（ｉ）が第１タイプのパラメータに基づいて確定され、前記第１タイプのパラメータが少なくともＫ値またはＫ値とｅＰＤＣＣＨリソースセットのインデックスｉを含むことを、含む。
【００２２】
ここで、第１タイプのパラメータは、少なくともＫ値、インデックスｉ及びＫ個のｅＰＤＣＣＨリソースセットのＮ値を含み、または、
第１タイプのパラメータは、少なくともＫ値、インデックスｉ及びＳｅｔ  ｉのＮ値を含み、または、
第１タイプのパラメータは、少なくともＫ値、インデックスｉ及びＫ個のｅＰＤＣＣＨリソースセットのＤ/Ｌタイプの配置を含み、または、
第１タイプのパラメータは、少なくともＫ値、インデックスｉ及びＳｅｔ  ｉのＤ/Ｌタイプの配置を含み、または、
第１タイプのパラメータは、少なくともＫ値、インデックスｉ、Ｋ個のｅＰＤＣＣＨリソースセットに対応するＤ/Ｌタイプ及びＫ個のｅＰＤＣＣＨリソースセットのＮ値を含む。
【００２３】
ここで、第１タイプのパラメータは、更に上位層のｅＰＤＣＣＨ候補（ｃａｎｄｉｄａｔｅｓ）の個数またはブラインド検出回数の割り当てシグナリングを含み、または、
第１タイプのパラメータは、更にサブフレームＳにおける強化型制御チャンネルユニット（ｅＣＣＥ）に含まれる強化型リソースエレメントグループ（ｅＲＥＧ）の数を含み、または、
第１タイプのパラメータは、更にＳｅｔ  ｉにおける検出すべき集約レベルまたはＫ個のｅＰＤＣＣＨリソースセットにおける検出すべき集約レベルを含む。
【００２４】
ここで、第１タイプのパラメータは、更にサブフレームタイプ及び/または、サブフレームＳにおけるＤＣＩ  Ｆｏｒｍａｔ（フォーマット）に対応する符号化速度、サブフレームＳにおける物理リソースブロックペア（ＰＲＢ  ｐａｉｒ）におけるｅＰＤＣＣＨを伝送するために使用可能なリソースエレメント（ＲＥ）数、サブフレームＳにおけるｅＣＣＥにおけるｅＰＤＣＣＨを伝送するために使用可能なＲＥ数のうちの１つを含む。
【００２５】
ここで、前記サブフレームのタイプは、少なくとも、ＮＣＰの多種のタイプのＴＤＤ特殊サブフレーム、ＥＣＰの多種のタイプのＴＤＤ特殊サブフレーム、ＮＣＰの一般的なサブフレーム、ＥＣＰの一般的なサブフレームのうちの１つを含む。
【００２６】
制御シグナリング検出方法は、
サブフレームＳにおいて、端末がＫ個のｅＰＤＣＣＨリソースセット内に制御シグナリングを検出し、端末がｅＰＤＣＣＨリソースセットにおけるセット（Ｓｅｔ）ｉに検出したｅＰＤＣＣＨの個数がＸ(ｉ)であり、ｉが整数であり、０<ｉ<=Ｋ、少なくとも１つのＸ（ｉ）が第１タイプのパラメータに基づいて確定され、第１タイプのパラメータが少なくともＳｅｔ  ｉに検出される集約レベルセットまたはＫ個のｅＰＤＣＣＨリソースセットにそれぞれ対応する、検出される集約レベルセットを含むことを、含む。
【００２７】
ここで、第１タイプのパラメータは、少なくとも更にＳｅｔ  ｉのＤ/Ｌタイプを含み、または、
第１タイプのパラメータは、少なくとも更にＫ個のｅＰＤＣＣＨリソースセットのＤ/Ｌタイプを含み、または、
第１タイプのパラメータは、少なくとも更にＳｅｔ  ｉのＮ値を含み、または、
第１タイプのパラメータは、少なくとも更にＫ個のｅＰＤＣＣＨリソースセットのＮ値を含み、または、
第１タイプのパラメータは、少なくとも更にＳｅｔ  ｉのｅＰＤＣＣＨリソースセットのＮ値とＤ/Ｌタイプを含み、または、
第１タイプのパラメータは、少なくとも更にＫ個のｅＰＤＣＣＨリソースセットのＮ値とこのＫ個のｅＰＤＣＣＨリソースセットのＤ/Ｌタイプを含み、または、
第１タイプのパラメータは、少なくとも更に上位層のｅＰＤＣＣＨ候補（ｃａｎｄｉｄａｔｅｓ）の個数またはブラインド検出回数の割り当てシグナリングを含み、または、
第１タイプのパラメータは、少なくとも更にサブフレームＳにおけるｅＣＣＥに含まれるｅＲＥＧの数を含む。
【００２８】
ここで、第１タイプのパラメータは、少なくとも更にサブフレームタイプ及び/または、サブフレームＳにおけるＤＣＩ  Ｆｏｒｍａｔに対応する符号化速度、サブフレームＳにおけるＰＲＢ  ｐａｉｒにおけるｅＰＤＣＣＨを伝送するために使用可能なＲＥ数、サブフレームＳにおけるｅＣＣＥにおけるｅＰＤＣＣＨを伝送するために使用可能なＲＥ数のうちの１つを含む。
【００２９】
ここで、前記サブフレームのタイプは、少なくとも、ＮＣＰの多種のタイプのＴＤＤ特殊サブフレーム、ＥＣＰの多種のタイプのＴＤＤ特殊サブフレーム、ＮＣＰの一般的なサブフレーム、ＥＣＰの一般的なサブフレームのうちの１つを含む。
【００３０】
ここで、任意に指定された集約レベルに対して、当該集約レベルにおいてＫ個のｅＰＤＣＣＨリソースセットのｅＰＤＣＣＨの総計数は、常数であり、Ｋが６以下の任意の整数である。
【００３１】
制御シグナリング検出方法は、
サブフレームＳにおいて、端末がＫ個のｅＰＤＣＣＨリソースセット内に制御シグナリングを検出し、端末がｅＰＤＣＣＨリソースセットにおけるセット（Ｓｅｔ）ｉに検出したｅＰＤＣＣＨの個数がＸ(ｉ)であり、ｉが整数であり、０<ｉ<=Ｋ、少なくとも１つのＸ（ｉ）が第１タイプのパラメータに基づいて確定され、第１タイプのパラメータが少なくとも上位層のブラインド検出回数割り当てシグナリングを含むこと、を含む。
【００３２】
ここで、第１タイプのパラメータは、少なくとも更にサブフレームタイプ及び/または、サブフレームＳにおけるＤＣＩ  Ｆｏｒｍａｔに対応する符号化速度、サブフレームＳにおけるＰＲＢ  ｐａｉｒにおけるｅＰＤＣＣＨを伝送するために使用可能なＲＥ数、サブフレームＳにおけるｅＣＣＥにおけるｅＰＤＣＣＨを伝送するために使用可能なＲＥ数のうちの１つを含む。
【００３３】
ここで、第１タイプのパラメータは、少なくとも更にサブフレームＳにおけるｅＣＣＥに含まれるｅＲＥＧの数を含む。
【００３４】
ここで、前記サブフレームのタイプは、少なくともＮＣＰの多種のタイプのＴＤＤ特殊サブフレーム、ＥＣＰの多種のタイプのＴＤＤ特殊サブフレーム、ＮＣＰの一般的なサブフレーム、ＥＣＰの一般的なサブフレームのうちの１つを含む。
【００３５】
制御シグナリング検出方法は、
サブフレームＳにおいて、端末がＫ個のｅＰＤＣＣＨリソースセット内に制御シグナリングを検出し、端末がｅＰＤＣＣＨリソースセットにおけるセット（Ｓｅｔ）ｉに検出したｅＰＤＣＣＨの個数がＸ(ｉ)であり、ｉが整数であり、０<ｉ<=Ｋ、少なくとも１つのＸ（ｉ）が第１タイプのパラメータに基づいて確定され、第１タイプのパラメータが少なくともサブフレームＳにおけるｅＣＣＥに含まれるｅＲＥＧの数を含むことを、含む。
【００３６】
制御シグナリング検出装置は、
サブフレームＳにおいて、Ｋ個のｅＰＤＣＣＨリソースセット内に制御シグナリングを検出し、ｅＰＤＣＣＨリソースセットにおけるセット（Ｓｅｔ）ｉに検出されたｅＰＤＣＣＨの個数がＸ(ｉ)であり、ｉが整数であり、０<ｉ<=Ｋ、少なくとも１つのＸ（ｉ）が第１タイプのパラメータに基づいてい確定され、前記第１タイプのパラメータが少なくともＫ値またはＫ値とｅＰＤＣＣＨリソースセットのインデックスｉを含むように配置される。
【００３７】
ここで、第１タイプのパラメータは、少なくともＫ値、インデックスｉ及びＫ個のｅＰＤＣＣＨリソースセットのＮ値を含み、または、
第１タイプのパラメータは、少なくともＫ値、インデックスｉ及びＳｅｔ  ｉのＮ値を含み、または、
第１タイプのパラメータは、少なくともＫ値、インデックスｉ及びＫ個のｅＰＤＣＣＨリソースセットのＤ/Ｌタイプの配置を含み、または、
第１タイプのパラメータは、少なくともＫ値、インデックスｉ及びＳｅｔ  ｉのＤ/Ｌタイプの配置を含み、または、
第１タイプのパラメータは、少なくともＫ値、インデックスｉ、Ｋ個のｅＰＤＣＣＨリソースセットに対応するＤ/Ｌタイプ及びＫ個のｅＰＤＣＣＨリソースセットのＮ値を含む。
【００３８】
ここで、第１タイプのパラメータは、更に上位層のｅＰＤＣＣＨ候補（ｃａｎｄｉｄａｔｅｓ）の個数またはブラインド検出回数の割り当てシグナリングを含み、または、
第１タイプのパラメータは、更にサブフレームＳにおけるｅＣＣＥに含まれる強化型リソースエレメントグループ（ｅＲＥＧ）数を含み、または、
第１タイプのパラメータは、更にＳｅｔ  ｉにおける検出すべき集約レベルまたはＫ個のｅＰＤＣＣＨリソースセットにおける検出すべき集約レベルを含む。
【００３９】
ここで、第１タイプのパラメータは、更にサブフレームタイプ及び/または、サブフレームＳにおけるＤＣＩ  Ｆｏｒｍａｔに対応する符号化速度、サブフレームＳにおけるＰＲＢ  ｐａｉｒにおけるｅＰＤＣＣＨを伝送するために使用可能なＲＥ数、サブフレームＳにおけるｅＣＣＥにおけるｅＰＤＣＣＨを伝送するために使用可能なＲＥ数のうちの１つを含む。
【００４０】
ここで、前記サブフレームのタイプは、少なくとも、ＮＣＰの多種のタイプのＴＤＤ特殊サブフレーム、ＥＣＰの多種のタイプのＴＤＤ特殊サブフレーム、ＮＣＰの一般的なサブフレーム、ＥＣＰの一般的なサブフレームのうちの１つを含む。
【００４１】
ここで、前記装置は、端末である。
制御シグナリング検出装置は、
サブフレームＳにおいて、Ｋ個のｅＰＤＣＣＨリソースセット内に制御シグナリングを検出し、ｅＰＤＣＣＨリソースセットにおけるセット（Ｓｅｔ）ｉに検出されたｅＰＤＣＣＨの個数がＸ(ｉ)であり、ｉが整数であり、０<ｉ<=Ｋ、少なくとも１つのＸ（ｉ）が第１タイプのパラメータに基づいて確定され、第１タイプのパラメータが少なくともＳｅｔ  ｉに検出される集約レベルセットまたはＫ個のｅＰＤＣＣＨリソースセットにそれぞれ対応する、検出される集約レベルセットを含むように配置される。
【００４２】
ここで、第１タイプのパラメータは、少なくとも更にＳｅｔ  ｉのＤ/Ｌタイプを含み、または、
第１タイプのパラメータは、少なくとも更にＫ個のｅＰＤＣＣＨリソースセットのＤ/Ｌタイプを含み、または、
第１タイプのパラメータは、少なくとも更にＳｅｔ  ｉのＮ値を含み、または、
第１タイプのパラメータは、少なくとも更にＫ個のｅＰＤＣＣＨリソースセットのＮ値を含み、または、
第１タイプのパラメータは、少なくとも更にＳｅｔ  ｉのｅＰＤＣＣＨリソースセットのＮ値とＤ/Ｌタイプを含み、または、
第１タイプのパラメータは、少なくとも更にＫ個のｅＰＤＣＣＨリソースセットのＮ値とこのＫ個のｅＰＤＣＣＨリソースセットのＤ/Ｌタイプを含み、または、
第１タイプのパラメータは、少なくとも更に上位層のｅＰＤＣＣＨ候補（ｃａｎｄｉｄａｔｅｓ）の個数またはブラインド検出回数の割り当てシグナリングを含み、または、
第１タイプのパラメータは少なくとも更にサブフレームＳにおけるｅＣＣＥに含まれるｅＲＥＧの数を含む。
【００４３】
ここで、第１タイプのパラメータは、少なくとも更にサブフレームタイプ及び/または、サブフレームＳにおけるＤＣＩ  Ｆｏｒｍａｔに対応する符号化速度、サブフレームＳにおけるＰＲＢ  ｐａｉｒにおけるｅＰＤＣＣＨを伝送するために使用可能なＲＥ数、サブフレームＳにおけるｅＣＣＥにおけるｅＰＤＣＣＨを伝送するために使用可能なＲＥ数のうちの１つを含む。
【００４４】
ここで、前記サブフレームのタイプは、少なくともＮＣＰの多種のタイプのＴＤＤ特殊サブフレーム、ＥＣＰの多種のタイプのＴＤＤ特殊サブフレーム、ＮＣＰの一般的なサブフレーム、ＥＣＰの一般的なサブフレームのうちの１つを含む。
【００４５】
ここで、任意に指定された集約レベルに対して、当該集約レベルにおいてＫ個のｅＰＤＣＣＨリソースセットのｅＰＤＣＣＨの総計数は、常数であり、Ｋが６以下の任意の整数である。
【００４６】
ここで、前記装置は、端末である。
制御シグナリング検出装置は、
サブフレームＳにおいて、Ｋ個のｅＰＤＣＣＨリソースセット内に制御シグナリングを検出し、ｅＰＤＣＣＨリソースセットにおけるセット（Ｓｅｔ）ｉに検出されたｅＰＤＣＣＨの個数がＸ(ｉ)であり、ｉが整数であり、０<ｉ<=Ｋ、少なくとも１つのＸ（ｉ）が第１タイプのパラメータに基づいて確定され、第１タイプのパラメータが少なくとも上位層のブラインド検出回数割り当てシグナリングを含むように配置される。
【００４７】
ここで、第１タイプのパラメータは、少なくとも更にブフレームタイプ及び/または、サブフレームＳにおけるＤＣＩ  Ｆｏｒｍａｔに対応する符号化速度、サブフレームＳにおけるＰＲＢ  ｐａｉｒにおけるｅＰＤＣＣＨを伝送するために使用可能なＲＥ数、サブフレームＳにおけるｅＣＣＥにおけるｅＰＤＣＣＨを伝送するために使用可能なＲＥ数のうちの１つを含む。
【００４８】
ここで、第１タイプのパラメータは、少なくとも更にサブフレームＳにおけるｅＣＣＥに含まれるｅＲＥＧの数を含む。
【００４９】
ここで、前記サブフレームのタイプは、少なくとも、ＮＣＰの多種のタイプのＴＤＤ特殊サブフレーム、ＥＣＰの多種のタイプのＴＤＤ特殊サブフレーム、ＮＣＰの一般的なサブフレーム、ＥＣＰの一般的なサブフレームのうちの１つを含む。
【００５０】
ここで、前記装置は、端末である。
制御シグナリング検出装置は、
サブフレームＳにおいて、Ｋ個のｅＰＤＣＣＨリソースセット内に制御シグナリングを検出し、ｅＰＤＣＣＨリソースセットにおけるセット（Ｓｅｔ）ｉに検出されたｅＰＤＣＣＨの個数がＸ(ｉ)であり、ｉが整数であり、０<ｉ<=Ｋ、少なくとも１つのＸ（ｉ）が第１タイプのパラメータに基づいて確定され、第１タイプのパラメータが少なくともｅＣＣＥに含まれるｅＲＥＧ数を含むように配置される。
【００５１】
ここで、前記装置は、端末である。
制御シグナリング検出を実現する方法は、
基地局がシグナリングにより各ｅＰＤＣＣＨリソースセット（Ｓｅｔ）ｉにおける検出すべき候補（ｃａｎｄｉｄａｔｅｓ）の個数またはブラインド検出回数を通知することを含む。
【００５２】
ここで、基地局は、Ｋの情報、Ｓｅｔインデックス情報及び検出すべき候補（ｃａｎｄｉｄａｔｅｓ）の個数を共同で符号化して通知し、または、
基地局は、Ｋの情報、Ｋ個のｅＰＤＣＣＨリソースセットのＮ値及び検出すべき候補（ｃａｎｄｉｄａｔｅｓ）の個数を共同で符号化して通知し、または、
基地局はＫの情報、Ｓｅｔ  ｉのＮ値情報を共同で符号化して通知し、または、
基地局は、Ｋの情報、Ｋ個のｅＰＤＣＣＨリソースセットのＤ/Ｌタイプ及び検出すべき候補（ｃａｎｄｉｄａｔｅｓ）の個数を共同で符号化して通知し、または、
基地局は、Ｋの情報、Ｋ個のｅＰＤＣＣＨリソースセットのＤ/Ｌタイプ、Ｎ値及び検出すべき候補（ｃａｎｄｉｄａｔｅｓ）の個数を共同で符号化して通知し、または、
基地局は、Ｋの情報、Ｋ個のｅＰＤＣＣＨリソースセットの検出すべき候補（ｃａｎｄｉｄａｔｅｓ）の個数を共同で符号化して通知し、または、
基地局は、Ｓｅｔの検出すべき集約レベル情報及び検出すべき候補（ｃａｎｄｉｄａｔｅｓ）の個数を共同で符号化して通知し、または、
基地局は、Ｋ個のＳｅｔの検出すべき集約レベル情報及びＫ個のＳｅｔの検出すべき候補（ｃａｎｄｉｄａｔｅｓ）の個数を共同で符号化して通知し、または、
基地局は、Ｋ個のＳｅｔの検出すべき集約レベル情報及びＫ個のＳｅｔ検出すべき候補（ｃａｎｄｉｄａｔｅｓ）の個数、及びＫ個のＳｅｔのＤ/Ｌタイプを共同で符号化して通知し、または、
基地局は、Ｓｅｔ  ｉの検出すべき候補（ｃａｎｄｉｄａｔｅｓ）の個数及びＳｅｔ  ｉのＤ/Ｌタイプを共同で符号化して通知し、または、
基地局は、Ｋ個のＳｅｔの検出すべき集約レベル情報、Ｋ個のＳｅｔの検出すべき候補（ｃａｎｄｉｄａｔｅｓ）の個数、Ｋ個のＳｅｔのＤ/Ｌタイプ及びＫ個のＳｅｔのＮ値を共同で符号化して通知し、または、
基地局はＳｅｔ  ｉの検出すべき候補（ｃａｎｄｉｄａｔｅｓ）の個数、Ｓｅｔ  ｉのＤ/Ｌタイプ、及びＮ値情報を共同で符号化して通知することを含む。
【００５３】
ここで、当該方法は、更に、
基地局は、異なるｅＣＣＥに含まれるｅＲＥＧの個数の状況に対して、対応するブラインド検出回数割り当て情報をそれぞれ通知することを含む。
制御シグナリング検出を実現する装置は、
シグナリングにより各ｅＰＤＣＣＨリソースセット（Ｓｅｔ）ｉにおける検出すべき候補（ｃａｎｄｉｄａｔｅｓ）の個数またはブラインド検出回数を通知するように配置される。
【００５４】
ここで、前記装置は、
Ｋの情報、Ｓｅｔインデックス情報及び検出すべき候補（ｃａｎｄｉｄａｔｅｓ）の個数を共同で符号化して通知し、または、
Ｋの情報、Ｋ個のｅＰＤＣＣＨリソースセットのＮ値及び検出すべき候補（ｃａｎｄｉｄａｔｅｓ）の個数を共同で符号化して通知し、または、
Ｋの情報、Ｓｅｔ  ｉのＮ値情報を共同で符号化して通知し、または、
Ｋの情報、Ｋ個のｅＰＤＣＣＨリソースセットのＤ/Ｌタイプ及び検出すべき候補（ｃａｎｄｉｄａｔｅｓ）の個数を共同で符号化して通知し、または、
Ｋの情報、Ｋ個のｅＰＤＣＣＨリソースセットのＤ/Ｌタイプ、Ｎ値及び検出すべき候補（ｃａｎｄｉｄａｔｅｓ）の個数を共同で符号化して通知し、または、
Ｋの情報、Ｋ個のｅＰＤＣＣＨリソースセットの検出すべき候補（ｃａｎｄｉｄａｔｅｓ）の個数を共同で符号化して通知し、または、
Ｓｅｔの検出すべき集約レベル情報及び検出すべき候補（ｃａｎｄｉｄａｔｅｓ）の個数を共同で符号化して通知し、または、
Ｋ個Ｓｅｔの検出すべき集約レベル情報及びＫ個のＳｅｔの検出すべき候補（ｃａｎｄｉｄａｔｅｓ）の個数を共同で符号化して通知し、または、
Ｋ個のＳｅｔの検出すべき集約レベル情報及びＫ個のＳｅｔの検出すべき候補（ｃａｎｄｉｄａｔｅｓ）の個数、及びＫ個のＳｅｔのＤ/Ｌタイプを共同で符号化して通知し、または、
Ｓｅｔ  ｉの検出すべき候補（ｃａｎｄｉｄａｔｅｓ）の個数、及びＳｅｔ  ｉのＤ/Ｌタイプを共同で符号化して通知し、または、
Ｋ個のＳｅｔの検出すべき集約レベル情報、Ｋ個のＳｅｔの検出すべき候補（ｃａｎｄｉｄａｔｅｓ）の個数、Ｋ個のＳｅｔのＤ/Ｌタイプ、及びＫ個のＳｅｔのＮ値を共同で符号化して通知し、または、
Ｓｅｔ  ｉの検出すべき候補（ｃａｎｄｉｄａｔｅｓ）の個数、Ｓｅｔ  ｉのＤ/Ｌタイプ、及びＮ値情報を共同で符号化して通知するように配置される。
【００５５】
ここで、前記装置は、更に、
異なるｅＣＣＥに含まれるｅＲＥＧの個数の状況に対して、対応するブラインド検出回数割り当て情報をそれぞれ通知するように配置される。
【００５６】
ここで、前記装置は、基地局である。
本発明の実施形態に係る制御シグナリング検出及び制御シグナリング検出実現の技術によれば、各ｅＰＤＣＣＨリソースセットに割り当てられたブラインド検出回数またはｅＰＤＣＣＨの個数を確定し、さらに各ｅＰＤＣＣＨリソースセットにおける検出すべきｅＰＤＣＣＨを更に確定することができる。
【図面の簡単な説明】
【００５７】
【図１】新旧リリースの制御シグナリングエリアを示す図である。
【図２】Ｄ−ｅＣＣＥの構造を示す図である。
【図３】Ｌ−ｅＣＣＥの構造を示すである。
【図４】本発明の１つの実施形態における制御シグナリングの検出原理を示す図である。
【図５】本発明の別の実施形態における制御シグナリングの検出原理を示す図である。
【図６】本発明の実施形態における制御シグナリング検出プロセスを示す図である。
【発明を実施するための形態】
【００５８】
実際の応用において、複数の方法で制御シグナリング検出を実現することができ、例えば、
方法１：図６に示すように、サブフレームＳにおいて、端末は、基地局が端末に配置したＫ個のｅＰＤＣＣＨリソースセット内に制御シグナリングを検出し、端末は、ｅＰＤＣＣＨリソースセットにおけるセットｉ（Ｓｅｔ  ｉ）に個数がＸ(ｉ)であるｅＰＤＣＣＨ（即ち、端末がＳｅｔ  ｉに検出したｅＰＤＣＣＨの個数がＸ(ｉ)である）を検出し、ｉが整数であり、０<ｉ<=Ｋ、少なくとも１つのＸ（ｉ）が第１タイプのパラメータに基づいて確定され、前記第１タイプのパラメータが少なくともＫ値またはＫ値とｅＰＤＣＣＨリソースセットのインデックスｉを含む。
【００５９】
なお、下記に記載されるＳｅｔは、すべてｅＰＤＣＣＨリソースセットを指すと説明すべきである。
【００６０】
第１タイプのパラメータは、Ｋ値、またはＫ値とインデックスｉのみを含むことができる。
【００６１】
更に、第１タイプのパラメータは、少なくともＫ値、インデックスｉ及びＫ個のｅＰＤＣＣＨリソースセットのＮ値（Ｎ１−Ｎｋ）を含むことができる。
【００６２】
更に、第１タイプのパラメータは、少なくともＫ値、インデックスｉ及びＳｅｔ  ｉのＮ値を含むことができる。
【００６３】
更に、第１タイプのパラメータは、少なくともＫ値、インデックスｉ及びＫ個のｅＰＤＣＣＨリソースセットのＤ/Ｌタイプの配置を含むことができる。
【００６４】
更に、第１タイプのパラメータは、少なくともＫ値、インデックスｉ及びＳｅｔ  ｉのＤ/Ｌタイプの配置を含むことができる。
【００６５】
更に、第１タイプのパラメータは、少なくともＫ値、インデックスｉ、Ｋ個のｅＰＤＣＣＨリソースセットに対応するＤ/Ｌタイプ及びＫ個のｅＰＤＣＣＨリソースセットのＮ値を含むことができる。
【００６６】
更に、第１タイプのパラメータは、更に上位層のｅＰＤＣＣＨ候補（ｃａｎｄｉｄａｔｅｓ）の個数またはブラインド検出回数の割り当てシグナリングを含むことができる。
【００６７】
更に、第１タイプのパラメータは、更にサブフレームＳにおけるｅＣＣＥに含まれる強化型リソースエレメントグループ（ｅＲＥＧ）の数を含むことができる。
【００６８】
更に、第１タイプのパラメータは、更にＳｅｔ  ｉにおける検出すべき集約レベルまたはＫ個のｅＰＤＣＣＨリソースセットにおける検出すべき集約レベルを含むことができる。
【００６９】
第１タイプのパラメータは、更にサブフレームタイプ及び/または、サブフレームＳにおけるＤＣＩフォーマット（Ｆｏｒｍａｔ）に対応する符号化速度、サブフレームＳにおけるＰＲＢ  ｐａｉｒにおけるｅＰＤＣＣＨを伝送するために使用可能なＲＥ数、サブフレームＳにおけるｅＣＣＥにおけるｅＰＤＣＣＨを伝送するために使用可能なＲＥ数のうちの１つを含むことができる。
【００７０】
前記サブフレームのタイプは、少なくとも、ＮＣＰの多種のタイプのＴＤＤ特殊サブフレーム、ＥＣＰの多種のタイプのＴＤＤ特殊サブフレーム、ＮＣＰの一般的なサブフレーム、ＥＣＰの一般的なサブフレームのうちの１つを含む。
方法２：サブフレームＳにおいて、端末は、基地局が端末に配置したＫ個のｅＰＤＣＣＨリソースセット内に制御シグナリングを検出し、端末がＳｅｔ  ｉに検出したｅＰＤＣＣＨの個数がＸ(ｉ)であり、ｉが整数であり、０<ｉ<=Ｋ。少なくとも１つのＸ（ｉ）が第１タイプのパラメータに基づいて確定され、第１タイプのパラメータが少なくともＳｅｔ  ｉに検出される集約レベルセットまたはＫ個のｅＰＤＣＣＨリソースセットにそれぞれ対応する、検出される集約レベルセットＡＬ（１）−ＡＬ（ｋ）を含む。
【００７１】
方法２において、Ｘ（ｉ）は、Ｓｅｔ  ｉに検出される集約レベルセットまたはＫ個のｅＰＤＣＣＨリソースセットにそれぞれ対応する、検出される集約レベルセットＡＬ（１）−ＡＬ（ｋ）のみに基づいて確定されることができる。
【００７２】
更に、第１タイプのパラメータは、少なくとも更にＳｅｔ  ｉのＤ/Ｌタイプを含むことができる。
【００７３】
更に、第１タイプのパラメータは、少なくとも更にＫ個のｅＰＤＣＣＨリソースセットのＤ/Ｌタイプを含むことができる。
【００７４】
更に、第１タイプのパラメータは、少なくとも更にＳｅｔ  ｉのＮ値を含むことができる。
【００７５】
更に、第１タイプのパラメータは、少なくとも更にＫ個のｅＰＤＣＣＨリソースセットのＮ値を含むことができる。
【００７６】
更に、第１タイプのパラメータは、少なくとも更にＳｅｔ  ｉのｅＰＤＣＣＨリソースセットのＮ値とＤ/Ｌタイプを含むことができる。
【００７７】
更に、第１タイプのパラメータは、少なくとも更にＫ個のｅＰＤＣＣＨリソースセットのＮ値Ｎ１−ＮｋとこのＫ個のｅＰＤＣＣＨリソースセットのＤ/Ｌタイプを含むことができる。
【００７８】
更に、第１タイプのパラメータは、少なくとも更に上位層のｅＰＤＣＣＨ候補（ｃａｎｄｉｄａｔｅｓ）の個数またはブラインド検出回数の割り当てシグナリングを含むことができる。
【００７９】
更に、第１タイプのパラメータは、少なくとも更にサブフレームＳにおけるｅＣＣＥに含まれるｅＲＥＧの数を含むことができる。
【００８０】
第１タイプのパラメータは、少なくとも更にサブフレームタイプ及び/または、サブフレームＳにおけるＤＣＩ  Ｆｏｒｍａｔに対応する符号化速度、サブフレームＳにおけるＰＲＢ  ｐａｉｒにおけるｅＰＤＣＣＨを伝送するために使用可能なＲＥ数、サブフレームＳにおけるｅＣＣＥにおけるｅＰＤＣＣＨを伝送するために使用可能なＲＥ数のうちの１つを含むことができる。
【００８１】
前記サブフレームのタイプは、少なくとも、ＮＣＰの多種のタイプのＴＤＤ特殊サブフレーム、ＥＣＰの多種のタイプのＴＤＤ特殊サブフレーム、ＮＣＰの一般的なサブフレーム、ＥＣＰの一般的なサブフレームのうちの１つを含むことができる。
【００８２】
任意に指定された集約レベルに対して、当該集約レベルにおいてＫ個のｅＰＤＣＣＨリソースセットのｅＰＤＣＣＨの総計数は、常数であり、Ｋが６以下の任意の整数である。
方法３：サブフレームＳにおいて、端末は、基地局が端末に配置したＫ個のｅＰＤＣＣＨリソースセット内に制御シグナリングを検出し、端末がＳｅｔ  ｉに検出したｅＰＤＣＣＨの個数がＸ(ｉ)であって、ｉが整数であり、０<ｉ<=Ｋ。少なくとも１つのＸ（ｉ）は、第１タイプのパラメータに基づいて確定され、第１タイプのパラメータが少なくとも上位層のブラインド検出回数割り当てシグナリングを含む。
【００８３】
第１タイプのパラメータは、少なくとも更にサブフレームタイプ及び/または、サブフレームＳにおけるＤＣＩ  Ｆｏｒｍａｔに対応する符号化速度、サブフレームＳにおけるＰＲＢ  ｐａｉｒにおけるｅＰＤＣＣＨを伝送するために使用可能なＲＥ数、サブフレームＳにおけるｅＣＣＥにおけるｅＰＤＣＣＨを伝送するために使用可能なＲＥ数のうちの１つを含むことができる。
【００８４】
前記サブフレームのタイプは、少なくともＮＣＰの多種のタイプのＴＤＤ特殊サブフレーム、ＥＣＰの多種のタイプのＴＤＤ特殊サブフレーム、ＮＣＰの一般的なサブフレーム、ＥＣＰの一般的なサブフレームのうちの１つを含むことができる。
【００８５】
更に、第１タイプのパラメータは、少なくとも更にサブフレームＳにおけるｅＣＣＥに含まれるｅＲＥＧの数を含むことができる。
方法４：サブフレームＳにおいて、端末は、基地局が端末に配置したＫ個のｅＰＤＣＣＨリソースセット内に制御シグナリングを検出し、端末がＳｅｔ  ｉに検出したｅＰＤＣＣＨの個数がＸ(ｉ)であって、ｉが整数であり、０<ｉ<=Ｋ。少なくとも１つのＸ（ｉ）は、第１タイプのパラメータに基づいて確定され、第１タイプのパラメータが少なくともサブフレームＳにおけるｅＣＣＥに含まれるｅＲＥＧの数を含む。
【００８６】
実施形態１：
[第１タイプのパラメータは、ＫまたはＫ値とインデックスｉのみを含む]
次の表に示すように、サブフレームＳにおいて、基地局は、端末にＫ個のｅＰＤＣＣＨリソースセットを配置し、端末は、Ｋ値とｅＰＤＣＣＨリソースセットのシリアルナンバーに基づいてブラインド検出すべきｅＰＤＣＣＨの個数を唯一に確定することができる。
【００８７】
【表４】
2015529430.tif 000006
【００８８】
端末は、ブラインド検出すべきｅＰＤＣＣＨの個数を確定した後、ｅＰＤＣＣＨリソースセットタイプとｅＰＤＣＣＨリソースセットの検出すべき集約レベルなどの他のパラメータに基づいて、検出すべき具体的なｅＰＤＣＣＨのマッピングを確定する。
【００８９】
図４に示すように、例えば、ＬｏｃａｌｉｚｅｄタイプのｅＰＤＣＣＨリソースセットに対して、１６個のｅＰＤＣＣＨを選んで検出することができる。
【００９０】
図５に示すように、ＤｉｓｔｒｉｂｕｔｅｄタイプのｅＰＤＣＣＨリソースセットに対して、１６個のｅＰＤＣＣＨを選んで検出することができる。
【００９１】
Ｋ=１の場合について、ＵＥは、Ｋ値に基づいてブラインド検出すべきｅＰＤＣＣＨの数量が１６個であることを確定できる。当該ｅＰＤＣＣＨリソースセットのタイプがＬであると、それによって検出すべきｅＰＤＣＣＨがＬ１-Ｌ１６であることを確定できる。当該ｅＰＤＣＣＨリソースセットのタイプがＤであると、それによって検出すべきｅＰＤＣＣＨがＤ１-Ｄ１６であることを確定できる。
【００９２】
Ｋ=２の場合について、ＵＥは、Ｋ値に基づいて２つのｅＰＤＣＣＨリソースセットのブラインド検出すべきｅＰＤＣＣＨの数量がすべて８個であることを確定できる。当該ｅＰＤＣＣＨリソースセットのタイプがＬであると、それによって検出すべきｅＰＤＣＣＨがＬ１-Ｌ１６における８個であることを確定でき、具体的にどの８個であるかについては基地局と端末が約束したルールに基づいて確定でき、例えばＬ１-Ｌ８、またはＬ１、Ｌ３、Ｌ７、……Ｌ１５であり、また、端末が検出すべき集約レベルを組み合わせて確定でき、及び基地局の配置シグナリングに基づいてどの８個のｅＰＤＣＣＨであるかを確定することができる。実際の応用する場合はここで挙げられる方法に限られない。当該ｅＰＤＣＣＨリソースセットのタイプがＤであると、同様に、同様な方法でＤ１-Ｄ１６において検出すべき８個のｅＰＤＣＣＨを確定することもできる。
【００９３】
上記のルール以外に他の所定のルールがあってもよく、例えば表５または表６に示される。
【表５】
2015529430.tif 000007
【表６】
2015529430.tif 000008
【００９４】
Ｋの最大値が２である場合以外、最大値が２に限られない場合もあり、例えば、端末は、Ｋ値とｅＰＤＣＣＨリソースセットのシリアルナンバー及び次の表に定義されるルールに基づいて、ブラインド検出されるｅＰＤＣＣＨの個数を唯一に確定することができる。
【表７】
2015529430.tif 000009
【表８】
2015529430.tif 000010
【００９５】
端末は、Ｋ値、またはＫ値とインデックスｉ及び所定のルールに基づいて、Ｓｅｔ  ｉに対応するブ、ラインド検出されるｅＰＤＣＣＨの個数を確定した後、上記と同様に、具体的な検出すべきｅＰＤＣＣＨを確定でき、その後、ブラインド検出を行う。
【００９６】
上記の方法について、１つの同等の実現方法があり、即ち、基地局はＫの情報、Ｓｅｔインデックス情報及び検出すべき候補（ｃａｎｄｉｄａｔｅｓ）の個数を共同で符号化して通知する。
【００９７】
基地局は、Ｋの情報を取得するとともに、各候補（ｃａｎｄｉｄａｔｅｓ）の検出すべき候補（ｃａｎｄｉｄａｔｅｓ）の個数の情報を取得する。具体的な共同符号化表は、上記の表を参照することができる。
【００９８】
例えば、上述した方法では、
Ｋの最大値が２である場合、１ｂｉｔで表し、０でＫ=１を表し、１でＫ=２を表すことができ、端末は、Ｋの情報と表４における規定により更に各Ｓｅｔの検出すべき候補（ｃａｎｄｉｄａｔｅｓ）情報を確定した。
【００９９】
それでは、同等の形態としては、
１ｂｉｔシグナリングがＫの情報と各Ｓｅｔの検出すべき候補（ｃａｎｄｉｄａｔｅｓ）情報を表し、
０がＫ=１を表し、かつＳｅｔ１に１６個の候補（ｃａｎｄｉｄａｔｅｓ）を検出し、
１がＫ=２を表し、かつＳｅｔ１に８個の候補（ｃａｎｄｉｄａｔｅｓ）を検出し、Ｓｅｔ２に８個の候補（ｃａｎｄｉｄａｔｅｓ）を検出する。
【０１００】
実施形態２：
[第１タイプのパラメータは、少なくともＫ値、インデックスｉ及びＫ個のｅＰＤＣＣＨリソースセットのＮ値（Ｎ１−Ｎｋ）を含む]
サブフレームＳにおいて、基地局は、端末にＫ個のｅＰＤＣＣＨリソースセットを配置し、端末は、Ｋ値、インデックスｉ及びＫ個のｅＰＤＣＣＨリソースセットのＮ値（Ｎ１−Ｎｋ）に基づいてブラインド検出すべきｅＰＤＣＣＨの個数を確定でき、次の表に示すように、Ｋの最大値が２である場合に対応する。
【０１０１】
【表９】
2015529430.tif 000011
【０１０２】
または次の表に示すように、Ｋの最大値が２である場合にも対応する。
【表１０】
2015529430.tif 000012
【０１０３】
ここで、ｆｌｏｏｒは、端数を切り捨て（ｒｏｕｎｄｉｎｇ ｄｏｗｎ）であり、ａ、ｂは、設定された重み係数であり、任意の０より大きい実数として設定されることができ、Ｎ１とＮ２は、それぞれＳｅｔ１とＳｅｔ２に含まれるＰＲＢ  ｐａｉｒsの個数を表す。
【０１０４】
または次の表に示すように、Ｋの最大値が３である場合に対応する。
【表１１】
2015529430.tif 000013
または次の表に示すように、Ｋの最大値が３である場合に対応する。
【０１０５】
【表１２】
2015529430.tif 000014
【０１０６】
ここで、ｆｌｏｏｒは、端数を切り捨て、ａ、ｂ、cは設定された重み係数であり、任意の０より大きい実数に設定されることができる。Ｎ１、Ｎ２及びＮ３は、それぞれＳｅｔ１、Ｓｅｔ２及びＳｅｔ３に含まれるＰＲＢ  ｐａｉｒsの個数を表す。
【０１０７】
Ｓｅｔ  ｉに対応するブラインド検出されるｅＰＤＣＣＨの個数を確定した後、上記と同様に、具体的な検出すべきｅＰＤＣＣＨを確定でき、その後ブラインド検出を行う。
【０１０８】
上記の方法について、１つの同等の実現方法があり、即ち基地局は、Ｋの情報、Ｋ個のｅＰＤＣＣＨリソースセットのＮ値（Ｎ１−Ｎｋ）及び検出すべき候補（ｃａｎｄｉｄａｔｅｓ）の個数を共同で符号化して通知する。
【０１０９】
実施形態３：
[第１タイプのパラメータは、少なくともＫ値、インデックスｉ及びＳｅｔ  ｉのＮ値を含む]
サブフレームＳにおいて、基地局は、端末にＫ個のｅＰＤＣＣＨリソースセットを配置し、端末は、Ｋ値、インデックスｉ及びＳｅｔ  ｉに対応するＮ値に基づいてブラインド検出すべきｅＰＤＣＣＨの個数を確定し、次の表に示すように、Ｋの最大値が２である場合に対応する。
【表１３】
2015529430.tif 000015
ここで、Ｋ=２の場合、Ｎ１とＮ２が２または４であることだけで設定されるように制限できる。
【０１１０】
または、
【表１４】
2015529430.tif 000016
Ｓｅｔ  ｉに対応するブラインド検出されるｅＰＤＣＣＨの個数を確定した後、上記と同様に、具体的な検出すべきｅＰＤＣＣＨを確定でき、その後ブラインド検出を行う。
上記の方法について、１つの同等の実現方法があり、即ち基地局は、Ｋの情報、Ｓｅｔ  ｉのＮ値情報を共同で符号化して通知する。
【０１１１】
実施形態４：
[第１タイプのパラメータは、少なくともＫ値、インデックスｉ及びＫ個のｅＰＤＣＣＨリソースセットのＤ/Ｌタイプの配置を含む]
サブフレームＳにおいて、基地局は、端末にＫ個のｅＰＤＣＣＨリソースセットを配置し、端末は、Ｋ値、インデックスｉ及びＫ個のｅＰＤＣＣＨリソースセットのＤ/Ｌタイプの配置に基づいて、ブラインド検出すべきｅＰＤＣＣＨの個数を確定でき、次の表に示すように、Ｋの最大値が２である場合に対応する。
【０１１２】
ここで、ｅＰＤＣＣＨリソースセットのタイプ（Ｄ/Ｌ）は、基地局より配置されて確定されることができる。
【表１５】
2015529430.tif 000017
【０１１３】
またはＫの最大値が２である場合に対応し、次の表に示される。
【表１６】
2015529430.tif 000018
Ｓｅｔ  ｉに対応するブラインド検出されるｅＰＤＣＣＨの個数を確定した後、上記と同様に、具体的な検出すべきｅＰＤＣＣＨを確定でき、その後ブラインド検出を行う。
【０１１４】
実施形態５：
[第１タイプのパラメータは、少なくともＫ値、インデックスｉ及びＳｅｔ  ｉのＤ/Ｌタイプの配置を含む]
サブフレームＳにおいて、基地局は、端末にＫ個のｅＰＤＣＣＨリソースセットを配置し、端末は、Ｋ値、インデックスｉ及びＳｅｔ  ｉに対応するＤ/Ｌタイプに基づいて、ブラインド検出されるｅＰＤＣＣＨの個数を確定でき、次の表に示すように、Ｋの最大値が２である場合に対応する。Ｄ/Ｌタイプは、基地局のシグナリングより配置されることができる。
【０１１５】
【表１７】
2015529430.tif 000019
Ｓｅｔ  ｉに対応するブラインド検出されるｅＰＤＣＣＨの個数を確定した後、上記と同様に、具体的な検出すべきｅＰＤＣＣＨを確定でき、その後ブラインド検出を行う。
【０１１６】
上記の方法について、１つの同等の実現方法があり、即ち基地局は、Ｋの情報、Ｋ個のｅＰＤＣＣＨリソースセットのＤ/Ｌタイプ及び検出すべき候補（ｃａｎｄｉｄａｔｅｓ）の個数を共同で符号化して通知する。
【０１１７】
実施形態６：
[第１タイプのパラメータは、少なくともＫ値、インデックスｉ、Ｋ個のｅＰＤＣＣＨリソースセットに対応するＤ/Ｌタイプ及びＫ個のｅＰＤＣＣＨリソースセットのＮ値を含む]
サブフレームＳにおいて、基地局は、端末にＫ個のｅＰＤＣＣＨリソースセットを配置し、端末はＫ値、インデックスｉ、Ｋ個のｅＰＤＣＣＨリソースセットのＤ/Ｌタイプの配置及びＫ個のｅＰＤＣＣＨリソースセットのＮ値の配置に基づいて、ブラインド検出されるｅＰＤＣＣＨの個数を確定でき、次の表に示すように、Ｋの最大値が２である場合に対応する。
【０１１８】
【表１８】
2015529430.tif 000020
Ｓｅｔ  ｉに対応する、ブラインド検出されるｅＰＤＣＣＨの個数を確定した後、上記と同様に、具体的な検出すべきｅＰＤＣＣＨを確定でき、その後ブラインド検出を行う。
上記の方法について、１つの同等の実現方法があり、即ち基地局は、Ｋの情報、Ｋ個のｅＰＤＣＣＨリソースセットのＤ/Ｌタイプ、Ｎ値及び検出すべき候補（ｃａｎｄｉｄａｔｅｓ）の個数を共同で符号化して通知する。
【０１１９】
実施形態７：
[第１タイプのパラメータは、更に上位層のｅＰＤＣＣＨ候補（ｃａｎｄｉｄａｔｅｓ）の個数またはブラインド検出回数の割り当てシグナリングを含む]
例えば、Ｋ値またはＫ値とインデックスｉ、及び上位層のブラインド検出割り当てシグナリングにより、下記の方法でＳｅｔ  ｉのブラインド検出すべきｅＰＤＣＣＨの個数を確定する。
【表１９】
2015529430.tif 000021
または
【表２０】
2015529430.tif 000022
またはＫ値、インデックスｉとＫ個のｅＰＤＣＣＨリソースセットのＮ値（Ｎ１−Ｎｋ）及び上位層のブラインド検出割り当てシグナリングにより、下記の方法でＳｅｔ  ｉのブラインド検出すべきｅＰＤＣＣＨの個数を確定する。
【０１２０】
【表２１】
2015529430.tif 000023
ここで、ａ、ｂは、任意の正数であり、Ｎ１とＮ２は、それぞれＳｅｔ１とＳｅｔ２に含まれるＰＲＢ  ｐａｉｒsの個数を表す。
【０１２１】
またはＫ値、インデックスｉとＳｅｔ  ｉのＮ値及び上位層のブラインド検出割り当てシグナリングにより、下記の方法でＳｅｔ  ｉのブラインド検出回数を確定する。
【表２２】
2015529430.tif 000024
Ｓｅｔ  ｉに対応するブラインド検出されるｅＰＤＣＣＨの個数を確定した後、上記と同様に、具体的な検出すべきｅＰＤＣＣＨを確定でき、その後ブラインド検出を行う。
【０１２２】
実施形態４、５、６の場合でも基地局のブラインド検出割り当てシグナリングを組み合わせてブラインド検出すべきｅＰＤＣＣＨ個数に対する割り当てを確定することができる。一般的に言えば、このブラインド検出割り当てシグナリングは、直接にブラインド検出すべきｅＰＤＣＣＨ個数を割り当てないので、オーべーヘッドはより小さい。
【０１２３】
実施形態８：
[第１タイプのパラメータは、更にサブフレームＳにおけるｅＣＣＥに含まれるｅＲＥＧの数を含む]
例えば、Ｋ値またはＫ値とインデックスｉ、及びｅＣＣＥに含まれるｅＲＥＧの数基づいて、下記の方法でＳｅｔ  ｉのブラインド検出すべきｅＰＤＣＣＨの個数を確定する。
【表２３】
2015529430.tif 000025
【０１２４】
またはＫ値、インデックスｉとＫ個のｅＰＤＣＣＨリソースセットのＮ値（Ｎ１−Ｎｋ）及びサブフレームＳにおけるｅＣＣＥに含まれるｅＲＥＧの数基づいて、下記の方法でＳｅｔ  ｉのブラインド検出すべきｅＰＤＣＣＨの個数を確定する。
【表２４】
2015529430.tif 000026
ここで、ａ、ｂは、任意の正数であり、Ｎ１とＮ２は、それぞれＳｅｔ１とＳｅｔ２に含まれるＰＲＢ  ｐａｉｒsの個数を表す。
【０１２５】
またはＫ値、インデックスｉとＳｅｔ  ｉのＮ値及びサブフレームＳにおけるｅＣＣＥに含まれるｅＲＥＧの数基づいて、下記の方法でＳｅｔ  ｉのブラインド検出すべきｅＰＤＣＣＨの個数を確定する。
【表２５】
2015529430.tif 000027
Ｓｅｔ  ｉに対応するブラインド検出されるｅＰＤＣＣＨの個数を確定した後、上記と同様に、具体的な検出すべきｅＰＤＣＣＨを確定でき、その後ブラインド検出を行う。
実施形態４、５、６の場合でもサブフレームＳにおけるｅＣＣＥに含まれるｅＲＥＧの数を組合せてブラインド検出回数の割り当てを確定することができる。
【０１２６】
実施形態９：
Ｋ値またはＫ値とインデックスｉ、及びＫ個のｅＰＤＣＣＨリソースセットの検出すべき集約レベルに基づいて、下記の方法でＳｅｔ  ｉの検出すべきｅＰＤＣＣＨの個数を確定する。
【表２６】
2015529430.tif 000028
【０１２７】
またはＫ値あるいはＫ値とインデックスｉ、及びＳｅｔ  ｉの検出すべき集約レベル基づいて、下記の方法でＳｅｔ  ｉのブラインド検出回数を確定する。
【表２７】
2015529430.tif 000029
Ｓｅｔ  ｉに対応するブラインド検出されるｅＰＤＣＣＨの個数を確定した後、上記と同様に、具体的な検出すべきｅＰＤＣＣＨを確定でき、その後ブラインド検出を行う。
【０１２８】
上記の方法について、１つの同等の実現方法があり、即ち基地局は、Ｋの情報、Ｋ個のｅＰＤＣＣＨリソースセットの検出すべき候補（ｃａｎｄｉｄａｔｅｓ）の個数を共同で符号化して通知する。
【０１２９】
実施形態１０：
サブフレームＳが非特殊サブフレーム、または配置タイプが３、４、８である特殊サブフレームに属し、かつＮＣＰサブフレームであり、かつＰＲＢ  ｐａｉｒにおけるｅＰＤＣＣＨを伝送するために使用可能なＲＥがある閾値Ｘ例えば１０４より小さいと、この状況を、第Ａタイプの状況として定義し、他の状況を、Ｂタイプの状況として定義し、下記の基準に従って検出すべきｅＰＤＣＣＨの個数を確定する。
【表２８】
2015529430.tif 000030
または
【表２９】
2015529430.tif 000031
または
【表３０】
2015529430.tif 000032
【０１３０】
実施形態１〜９における他の場合に対して、Ａタイプの状況とＢタイプの状況に対する分割と組み合わせてブラインド検出回数を確定することができる。ここで、Ａタイプの状況とＢタイプの状況に対する分割は、更に下記の通りであってもよい。
【０１３１】
サブフレームＳが非特殊サブフレーム、または配置タイプが３、４、８である特殊サブフレームに属し、かつＮＣＰサブフレームであり、かつｅＣＣＥにおけるｅＰＤＣＣＨを伝送するために使用可能なＲＥがある閾値Ｙ例えば２６より小さいと、この状況を、第Ａタイプの状況として定義し、他の状況を、Ｂタイプの状況として定義することができる。
【０１３２】
または、サブフレームＳが非特殊サブフレーム、または配置タイプが３、４、８である特殊サブフレームに属し、かつＮＣＰサブフレームである場合、この状況を第Ａタイプの状況として定義し、他の状況をＢタイプの状況として定義することができる。
【０１３３】
または、サブフレームＳにおける１つのｅＣＣＥを用いてあるＤＣＩ  Ｆｏｒｍａｔ、例えばＤＣＩ  Ｆｏｒｍａｔ１Ａ、または２Ｃを伝送し、コードレートが閾値Ｚ例えば０.８より小さいと、この状況を、第Ａタイプの状況として定義し、他の状況を、Ｂタイプの状況として定義することができる。
【０１３４】
ここで、特殊サブフレーム、非特殊サブフレーム、ＮｏｒｍａＣＰサブフレームとＥｘｔｅｎｄＣＰサブフレームの定義については３ＧＰＰＴＳ３６．２１１標準を参考することができる。
【０１３５】
Ｓｅｔ  ｉに対応するブラインド検出されるｅＰＤＣＣＨの個数を確定した後、上記と同様に、具体的な検出すべきｅＰＤＣＣＨを確定でき、その後ブラインド検出を行う。
【０１３６】
実施形態１１：
Ｓｅｔ  ｉの検出個数Ｘ（ｉ）は、Ｓｅｔ  ｉに検出される集約レベルセットのみに基づいて確定されることができる。
例えば、ＵＥと端末は、事前に、任意のｅＰＤＣＣＨリソースセットを配置するときにＡＬ１を検出する必要がある場合、４つのｅＰＤＣＣＨに対応し、ＡＬ２が４つのｅＰＤＣＣＨに対応し、ＡＬ４が２つのｅＰＤＣＣＨに対応し、ＡＬ８が２つのｅＰＤＣＣＨに対応し、ＡＬ１６が１つのｅＰＤＣＣＨに対応し、ＡＬ３２が１つのｅＰＤＣＣＨに対応すると約束する。それでは、ＵＥは、Ｓｅｔ  ｉの検出すべき集約レベルの状況に応じて、検出すべきｅＰＤＣＣＨの個数を確定することができる。
【０１３７】
他のＡＬがブラインド検出回数に対応する場合であってもよく、例えば、ＵＥと端末は、事前に、任意のｅＰＤＣＣＨリソースセットを配置するときにＡＬ１を検出する必要がある場合、６つのｅＰＤＣＣＨに対応し、ＡＬ２が６つのｅＰＤＣＣＨに対応し、ＡＬ４が２つのｅＰＤＣＣＨに対応し、ＡＬ８が２つのｅＰＤＣＣＨに対応し、ＡＬ１６が１つのｅＰＤＣＣＨに対応し、ＡＬ３２が１つのｅＰＤＣＣＨに対応すると約束する。それでは、ＵＥは、Ｓｅｔ  ｉの検出すべき集約レベルの状況に応じてブラインド検出の回数を確定することができる。
【０１３８】
例えば、Ｋ=１、Ｓｅｔ１に対応するＡＬ=１、２、４、８、１６であると、端末は、対応するＡＬに基づいて検出すべきｅＰＤＣＣＨの個数が１３個であることを確定することができる。対応するＡＬ=１、２、４、８であると、端末は、対応するＡＬに基づいて、検出すべきｅＰＤＣＣＨが１２個であることを確定することができる。
【０１３９】
例えば、Ｋ=２、Ｓｅｔ１に対応するＡＬが１、２、４、８であると、端末は、検出すべきｅＰＤＣＣＨが１２個であることを確定することができる。Ｓｅｔ２に対応するＡＬが８、１６であると、Ｓｅｔ２には３つのｅＰＤＣＣＨしか検出する必要がない。
【０１４０】
Ｓｅｔ  ｉに対応するブラインド検出されるｅＰＤＣＣＨの個数を確定した後、上記と同様に、具体的な検出すべきｅＰＤＣＣＨを確定でき、その後ブラインド検出を行う。
【０１４１】
上記の方法について、１つの同等の実現方法があり、即ち基地局は、Ｓｅｔの検出すべき集約レベル情報及び検出すべき候補（ｃａｎｄｉｄａｔｅｓ）の個数を共同で符号化して通知する。
【０１４２】
実施形態１２：
Ｓｅｔ  ｉの検出個数Ｘ（ｉ）は、Ｋ個のｅＰＤＣＣＨリソースセットにそれぞれ対応する検出される集約レベルセットＡＬ（１）−ＡＬ（ｋ）基づいて確定されることができる。
【０１４３】
例えば、ＵＥと端末は、事前に、すべてのｅＰＤＣＣＨリソースセットがＡＬ１に対応する場合に検出されるｅＰＤＣＣＨの個数の総計が４つのｅＰＤＣＣＨであり、すべてのｅＰＤＣＣＨリソースセットがＡＬ２に対応する場合に検出されるｅＰＤＣＣＨの個数の総計が４つのｅＰＤＣＣＨであり、すべてのｅＰＤＣＣＨリソースセットがＡＬ４に対応する場合に検出されるｅＰＤＣＣＨの個数の総計が２つであり、すべてのｅＰＤＣＣＨリソースセットがＡＬ８に対応する場合に検出されるｅＰＤＣＣＨの個数の総計が２つであり、すべてのｅＰＤＣＣＨリソースセットがＡＬ１６に対応する場合に検出されるｅＰＤＣＣＨの個数の総計が１つであると約束する。それでは、ＵＥは、Ｓｅｔ  ｉの検出すべき集約レベルの状況に応じてｅＰＤＣＣＨの個数を確定することができる。
【０１４４】
まず、多くとも１つのｅＰＤＣＣＨリソースセットを配置するためにＡＬ１６と３２を検出する必要があり、多くとも２つのｅＰＤＣＣＨリソースセットを配置するためにＡＬ４と８を検出する必要があり、多くともｐつのｅＰＤＣＣＨリソースセットを配置するためにＡＬを検出する必要があり、ＡＬ=１及び２であり、ｐが４以下であると限定されることは、必要となる。
【０１４５】
それでは、２つのｅＰＤＣＣＨリソースセットの場合に対応して、例えば、
Ｓｅｔ１の検出すべきＡＬが１、２、４、８であり、
Ｓｅｔ２検出すべきＡＬが４、８、１６である。
【０１４６】
それでは、ＡＬ=１に対して、すべてのｅＰＤＣＣＨリソースセットにおいてＳｅｔ１のみを検出し、即ちＳｅｔ１に４つのｅＰＤＣＣＨを検出する。それでは、ＡＬ=２に対して、すべてのｅＰＤＣＣＨリソースセットにおいてＳｅｔ１のみを検出し、即ちＳｅｔ１に４つのｅＰＤＣＣＨを検出する。ＡＬ=４に対して、２つのｅＰＤＣＣＨリソースセットを検出し、総計が２つのｅＰＤＣＣＨであり、Ｓｅｔ１に２つのｅＰＤＣＣＨを検出し、Ｓｅｔ２に１つのｅＰＤＣＣＨを検出する。ＡＬ=８に対して、２つのｅＰＤＣＣＨリソースセットを検出し、総計が２つのｅＰＤＣＣＨであり、それではＳｅｔ１に１つｅＰＤＣＣＨを検出し、Ｓｅｔ２に１つのｅＰＤＣＣＨを検出する。ＡＬ=１６に対して、Ｓｅｔ２のみを検出し、それではＳｅｔ２に１つのｅＰＤＣＣＨを検出する。
【０１４７】
全体の検出状況として、Ｓｅｔ１に、ＡＬ=１の場合に対応する４つのｅＰＤＣＣＨを検出し、Ｓｅｔ１に、ＡＬ=２の場合に対応する４つのｅＰＤＣＣＨを検出し、Ｓｅｔ１に、ＡＬ=４の場合に対応する１つのｅＰＤＣＣＨを検出し、Ｓｅｔ１に、ＡＬ=８の場合に対応する１つのｅＰＤＣＣＨを検出し、総計１０つのｅＰＤＣＣＨを検出し、Ｓｅｔ２に、ＡＬ=４の場合に対応する１つのｅＰＤＣＣＨを検出し、ＡＬ=８の場合に対応する１つのｅＰＤＣＣＨを検出し、ＡＬ=１６の場合に対応する検出に対して同様にして、総計で３つのｅＰＤＣＣＨが検出された。
【０１４８】
他の場合もがあるかもしれず、例えばＫ=３、
Ｓｅｔ１検出：ＡＬ=１、２、
Ｓｅｔ２検出：ＡＬ=１、２、４、
Ｓｅｔ３検出：ＡＬ=２、４、８。
【０１４９】
それでは、ＡＬ=１に対して、すべてのｅＰＤＣＣＨリソースセットにおいてＳｅｔ１、Ｓｅｔ２を検出する必要があり、Ｓｅｔ１に２つのｅＰＤＣＣＨを検出し、Ｓｅｔ２に２つのｅＰＤＣＣＨを検出する場合であってよい（この場合に限られず、Ｓｅｔ１に３つのｅＰＤＣＣＨを検出し、Ｓｅｔ２に１つのｅＰＤＣＣＨを検出する場合であってもよく、具体的な場合が予め規定される）。それでは、ＡＬ=２に対して、すべてのｅＰＤＣＣＨリソースセットにおいてＳｅｔ１、Ｓｅｔ２、Ｓｅｔ３を検出する必要があり、Ｓｅｔ１に２つのｅＰＤＣＣＨを検出し、Ｓｅｔ２に１つのｅＰＤＣＣＨを検出し、Ｓｅｔ３に１つのｅＰＤＣＣＨを検出するように割り当てることができる。ＡＬ=４に対して、Ｓｅｔ２、Ｓｅｔ３を検出し、個数総計が２つのｅＰＤＣＣＨである。それでは、Ｓｅｔ２に１つのｅＰＤＣＣＨを検出し、Ｓｅｔ３に１つのｅＰＤＣＣＨを検出する。ＡＬ=８に対して、Ｓｅｔ３のみを検出し、個数総計が２つのｅＰＤＣＣＨである。
【０１５０】
全体の検出状況として、ＳｅｔにＡＬ=１の場合に対応する２つのｅＰＤＣＣＨを検出し、Ｓｅｔ１にＡＬ=２の場合に対応する２つのｅＰＤＣＣＨをを検出し、総計４つのｅＰＤＣＣＨを検出した。Ｓｅｔ２にＡＬ=１の場合に対応する２つのｅＰＤＣＣＨを検出し、ＡＬ=２の場合に対応する１つのｅＰＤＣＣＨを検出し、ＡＬ=４の場合に対応する１つのｅＰＤＣＣＨを検出し、総計４つのｅＰＤＣＣＨを検出した。Ｓｅｔ３にＡＬ=１の場合に対応する１つのｅＰＤＣＣＨを検出し、ＡＬ=４の場合に対応する１つのｅＰＤＣＣＨを検出し、ＡＬ=８の場合に対応する２つのｅＰＤＣＣＨを検出し、総計４つのｅＰＤＣＣＨを検出した。
【０１５１】
Ｓｅｔ  ｉに対応する、ブラインド検出されるｅＰＤＣＣＨの個数を確定した後、上記と同様に、具体的な検出すべきｅＰＤＣＣＨを確定でき、その後ブラインド検出を行う。
【０１５２】
上記の方法について、１つの同等の実現方法があり、即ち基地局は、Ｋ個のＳｅｔの検出すべき集約レベル情報及びＫ個のＳｅｔの検出すべき候補（ｃａｎｄｉｄａｔｅｓ）の個数を共同で符号化して通知する。
【０１５３】
実施形態１３：
Ｓｅｔ  ｉの検出個数Ｘ（ｉ）は、Ｋ個のｅＰＤＣＣＨリソースセットにそれぞれ対応する検出される集約レベルセットＡＬ（１）−ＡＬ（ｋ）とＫ個のｅＰＤＣＣＨリソースセットのＤ/Ｌタイプに基づいて確定されることができる。
【０１５４】
例えば、ＵＥと端末は、事前に、すべてのｅＰＤＣＣＨリソースセットがＡＬ１に対応する場合に検出されるｅＰＤＣＣＨの個数総計が６つｅＰＤＣＣＨであり、すべてのｅＰＤＣＣＨリソースセットがＡＬ２に対応する場合に検出されるｅＰＤＣＣＨの個数総計が６つｅＰＤＣＣＨであり、すべてのｅＰＤＣＣＨリソースセットがＡＬ４に対応する場合に検出されるｅＰＤＣＣＨの個数総計が３つのｅＰＤＣＣＨであり、すべてのｅＰＤＣＣＨリソースセットがＡＬ８に対応する場合に検出されるｅＰＤＣＣＨの個数総計が３つのｅＰＤＣＣＨであり、すべてのｅＰＤＣＣＨリソースセットがＡＬ１６に対応する場合に検出されるｅＰＤＣＣＨの個数総計が１つのｅＰＤＣＣＨであると約束する。それでは、ＵＥは、更にＫ個のｅＰＤＣＣＨリソースセットのＤ/Ｌ割り当てタイプ及びＳｅｔ  ｉの検出すべき集約レベルの状況に応じてブラインド検出されるｅＰＤＣＣＨの個数を確定することができる。
【０１５５】
まず多くとも１つのｅＰＤＣＣＨリソースセットを配置するためにＡＬ１６と３２を検出する必要があり、まず多くとも２つのｅＰＤＣＣＨリソースセットを配置するためにＡＬ４と８を検出する必要があり、まず多くともｐ個のｅＰＤＣＣＨリソースセットを配置するためにＡＬ=１と２を検出する必要があり、ｐが６より小さいと限定されることは、必要となる。
【０１５６】
それでは、２つのｅＰＤＣＣＨリソースセットの場合に対応し、例えば、
Ｓｅｔ１の検出すべきＡＬは１、２、４、８であり、
Ｓｅｔ２の検出すべきＡＬは２、４、８、１６である。
【表３１】
2015529430.tif 000033
Ｓｅｔ１だけがＡＬ１の検出に対応する場合、６つのｅＰＤＣＣＨを検出する。
【０１５７】
Ｓｅｔ１とＳｅｔ２がすべてＡＬ２の検出に対応する場合、Ｓｅｔ１がＤタイプであり、Ｓｅｔ２がＬタイプであると、Ｓｅｔ１に２つのｅＰＤＣＣＨを検出し、Ｓｅｔ２に４つのｅＰＤＣＣＨを検出する。Ｓｅｔ１がＬタイプでありかつＳｅｔ２がＤタイプであると、Ｓｅｔ１に４つのｅＰＤＣＣＨを検出し、Ｓｅｔ２に２つのｅＰＤＣＣＨを検出し、Ｓｅｔ１とＳｅｔ２がすべてＤまたはＬタイプであると、それぞれに３つのｅＰＤＣＣＨを検出する。
【０１５８】
Ｓｅｔ１とＳｅｔ２がすべてＡＬ４の検出に対応する場合、Ｓｅｔ１がＤタイプであり、Ｓｅｔ２がＬタイプであると、Ｓｅｔ１に１つのｅＰＤＣＣＨを検出し、Ｓｅｔ２に２つのｅＰＤＣＣＨを検出し、Ｓｅｔ１がＬタイプでありかつＳｅｔ２がＤタイプであると、Ｓｅｔ１に２つのｅＰＤＣＣＨを検出し、Ｓｅｔ２に１つのｅＰＤＣＣＨを検出し、Ｓｅｔ１とＳｅｔ２がすべてＤまたはＬタイプであると、Ｓｅｔ１に２つのｅＰＤＣＣＨを検出し、Ｓｅｔ２に１つのｅＰＤＣＣＨを検出する。
【０１５９】
Ｓｅｔ１とＳｅｔ２がすべてＡＬ８の検出に対応する場合、Ｓｅｔ１がＤタイプであり、Ｓｅｔ２がＬタイプであると、Ｓｅｔ１に１つのｅＰＤＣＣＨを検出し、Ｓｅｔ２に２つのｅＰＤＣＣＨを検出し、Ｓｅｔ１がＬタイプでありかつＳｅｔ２がＤタイプであると、Ｓｅｔ１に２つのｅＰＤＣＣＨを検出し、Ｓｅｔ２に１つのｅＰＤＣＣＨを検出し、Ｓｅｔ１とＳｅｔ２がすべてＤまたはＬタイプであると、Ｓｅｔ１に２つのｅＰＤＣＣＨを検出し、Ｓｅｔ２に１つのｅＰＤＣＣＨを検出する。
【０１６０】
Ｓｅｔ２だけがＡＬ１６の検出に対応する場合、１つのｅＰＤＣＣＨを検出する。
Ｓｅｔ  ｉに対応するブラインド検出されるｅＰＤＣＣＨの個数を確定した後、上記と同様に、具体的な検出すべきｅＰＤＣＣＨを確定でき、その後ブラインド検出を行う。
【０１６１】
上記の方法について、１つの同等の実現方法があり、即ち基地局は、Ｋ個のＳｅｔの検出すべき集約レベル情報及びＫ個のＳｅｔ検出すべき候補（ｃａｎｄｉｄａｔｅｓ）の個数、及びＫ個のＳｅｔのＤ/Ｌタイプを共同で符号化して通知する。
【０１６２】
実施形態１４：
Ｓｅｔ  ｉの検出個数Ｘ（ｉ）は、Ｓｅｔ  ｉの検出される集約レベルセットとＳｅｔ  ｉのＤ/Ｌタイプのみに基づいて確定されることができる。
【０１６３】
例えば、ＵＥと端末は、事前に、任意のｅＰＤＣＣＨリソースセットを配置するときにＡＬ１を検出する必要があり、ｅＰＤＣＣＨリソースセットタイプがＤｉｓｔｒｉｂｕｔｅｄであると、２つのｅＰＤＣＣＨに対応し、ｅＰＤＣＣＨリソースセットタイプがＬｏｃａｌｉｚｅｄであると、４つのｅＰＤＣＣＨに対応すると約束する。
【０１６４】
任意のｅＰＤＣＣＨリソースセットを配置するときにＡＬ２を検出する必要があり、ｅＰＤＣＣＨリソースセットタイプがＤｉｓｔｒｉｂｕｔｅｄであると、４つのｅＰＤＣＣＨに対応し、ｅＰＤＣＣＨリソースセットタイプがＬｏｃａｌｉｚｅｄであると、２つのｅＰＤＣＣＨに対応する。
【０１６５】
任意のｅＰＤＣＣＨリソースセットを配置するときにＡＬ４を検出する必要があり、ｅＰＤＣＣＨリソースセットタイプがＤｉｓｔｒｉｂｕｔｅｄであると、１つのｅＰＤＣＣＨに対応し、ｅＰＤＣＣＨリソースセットタイプがＬｏｃａｌｉｚｅｄに対応すると、１つのｅＰＤＣＣＨに対応する。
【０１６６】
任意のｅＰＤＣＣＨリソースセットを配置するときにＡＬ８を検出する必要があり、ｅＰＤＣＣＨリソースセットタイプがＤｉｓｔｒｉｂｕｔｅｄであると、１つのｅＰＤＣＣＨに対応し、ｅＰＤＣＣＨリソースセットタイプがＬｏｃａｌｉｚｅｄであると、１つのｅＰＤＣＣＨに対応する。
【０１６７】
任意のｅＰＤＣＣＨリソースセットを配置するときにＡＬ１６を検出する必要があり、ｅＰＤＣＣＨリソースセットタイプがＤｉｓｔｒｉｂｕｔｅｄであると、１つのｅＰＤＣＣＨに対応し、ｅＰＤＣＣＨリソースセットタイプがＬｏｃａｌｉｚｅｄであると、ＡＬ=１６に配置される状況は許可されない。
【０１６８】
例えば、Ｋ=１、Ｓｅｔ１がＡＬ=１、２、４、８、１６に対応し、ｅＰＤＣＣＨリソースセットタイプがＤｉｓｔｒｉｂｕｔｅｄであると、端末は、対応するＡＬ基づいて検出すべきｅＰＤＣＣＨの個数が９つであることを確定することができる。ＡＬ=１、２、４、８に対応し、ｅＰＤＣＣＨリソースセットタイプがＬｏｃａｌｉｚｅｄであると、端末は、対応するＡＬに基づいて検出すべきｅＰＤＣＣＨ８つであることを確定することができる。
【０１６９】
例えば、Ｋ=２、Ｓｅｔ１がＡＬ＝１、２、４、８に対応し、タイプがＬｏｃａｌｉｚｅｄであると、端末は、検出すべきｅＰＤＣＣＨ８つであることを確定でき、Ｓｅｔ２がＡＬが４、８、１６に対応し、タイプがＤｉｓｔｒｉｂｕｔｅｄであると、Ｓｅｔ２に３つだけのｅＰＤＣＣＨを検出する必要がある。
【０１７０】
Ｓｅｔ  ｉに対応するブラインド検出されるｅＰＤＣＣＨの個数を確定した後、上記と同様に、具体的な検出すべきｅＰＤＣＣＨを確定でき、その後ブラインド検出を行う。
【０１７１】
上記の方法について、１つの同等の実現方法があり、即ち基地局は、Ｓｅｔ  ｉの検出すべき候補（ｃａｎｄｉｄａｔｅｓ）の個数及びＳｅｔ  ｉのＤ/Ｌタイプを共同で符号化して通知する。
【０１７２】
実施形態１５：
実施形態１３に基づいて、確定方法については更にＮ値を導入することができる。
Ｓｅｔ１とＳｅｔ２がすべてＡＬ２の検出に対応し、Ｓｅｔ１がＤタイプであり、Ｓｅｔ２がＬタイプであり、Ｓｅｔ１に含まれるＰＲＢ  ｐａｉｒの個数Ｎ１がＳｅｔ１に含まれるＰＲＢ  ｐａｉｒの個数Ｎ２以下であると、Ｓｅｔ１に２つのｅＰＤＣＣＨを検出し、Ｓｅｔ２に４つのｅＰＤＣＣＨを検出し、Ｓｅｔ１に含まれるＰＲＢ  ｐａｉｒの個数Ｎ１がｄｅＳｅｔ１に含まれるＰＲＢ  ｐａｉｒの個数Ｎ２より大きいと、Ｓｅｔ１は３つのｅＰＤＣＣＨを検出し、Ｓｅｔ２は３つのｅＰＤＣＣＨを検出する。
【０１７３】
Ｓｅｔ１がＬタイプかつＳｅｔ２がＤタイプであり、Ｓｅｔ１に含まれるＰＲＢ  ｐａｉｒの個数Ｎ１がＳｅｔ１に含まれるＰＲＢ  ｐａｉｒの個数Ｎ２以下であると、Ｓｅｔ１に４つのｅＰＤＣＣＨを検出し、Ｓｅｔ２に２つのｅＰＤＣＣＨを検出し、Ｓｅｔ１に含まれるＰＲＢ  ｐａｉｒの個数Ｎ１がｄｅＳｅｔ１に含まれるＰＲＢ  ｐａｉｒの個数Ｎ２より大きいと、Ｓｅｔ１に３つのｅＰＤＣＣＨを検出し、Ｓｅｔ２に３つのｅＰＤＣＣＨを検出する。Ｓｅｔ１と２がすべてＤまたはＬタイプであると、それぞれに３つのｅＰＤＣＣＨを検出する。
【０１７４】
他のＡＬの状況はこれに類似し、ＵＥは、Ｋ個のｅＰＤＣＣＨリソースセットのＮ値、ＡＬの割り当て状況及びＤ/Ｌの割り当て状況に応じていないと、Ｓｅｔ  ｉ検出すべきｅＰＤＣＣＨの個数を正確に確定できない。
【０１７５】
上記の方法について、１つの同等の実現方法があり、即ち基地局は、Ｋ個のＳｅｔの検出すべき集約レベル情報、Ｋ個のＳｅｔの検出すべき候補（ｃａｎｄｉｄａｔｅｓ）の個数、Ｋ個のＳｅｔのＤ/Ｌタイプ及びＫ個のＳｅｔのＮ値を共同で符号化して通知する。
【０１７６】
実施形態１６：
実施形態１４に基づいて、確定方法については更にＮ値を導入することができる。
例えばＵＥと端末は、事前に、任意のｅＰＤＣＣＨリソースセットを配置するときにＡＬ１を検出する必要があり、ｅＰＤＣＣＨリソースセットタイプがＤｉｓｔｒｉｂｕｔｅｄであり、Ｎが４以下であると、２つのｅＰＤＣＣＨに対応し、Ｎが４より大きいと、４つのｅＰＤＣＣＨに対応し、ｅＰＤＣＣＨリソースセットタイプがＬｏｃａｌｉｚｅｄであり、Ｎが４以下であると、２つのｅＰＤＣＣＨに対応し、Ｎが４より大きいと、６つのｅＰＤＣＣＨに対応すると約束する。
【０１７７】
他のＡＬの状況はこれに類似する。
上記の方法について、１つの同等の実現方法があり、即ち基地局は、Ｓｅｔ  ｉの検出すべき候補（ｃａｎｄｉｄａｔｅｓ）の個数、Ｓｅｔ  ｉのＤ/Ｌタイプ、及びＮ値情報を共同で符号化して通知する。
【０１７８】
実施形態１７：
実施形態１４の状況に対して、一部または全部のＡＬにおいてブラインド検出されるｅＰＤＣＣＨの個数の配置シグナリングを組み合わせて検出すべきｅＰＤＣＣＨの個数を確定することができ、例えば、
任意のｅＰＤＣＣＨリソースセットを配置するときにＡＬ１を検出する必要があり、ｅＰＤＣＣＨリソースセットタイプがＤｉｓｔｒｉｂｕｔｅｄであり、基地局ブラインド検出配置シグナリングｂｉｔが０であると、２つのｅＰＤＣＣＨに対応し、基地局側のブラインド検出配置シグナリングｂｉｔが１であると、４つのｅＰＤＣＣＨに対応する。ｅＰＤＣＣＨリソースセットタイプがＬｏｃａｌｉｚｅｄであり、基地局ブラインド検出配置シグナリングｂｉｔが０であると、２つのｅＰＤＣＣＨに対応し、基地局ブラインド検出配置シグナリングｂｉｔが１であると、６つのｅＰＤＣＣＨに対応する。
【０１７９】
他の実施形態に基づいてブラインド検出されるｅＰＤＣＣＨの個数の配置シグナリングを組み合わせて検出すべきｅＰＤＣＣＨの個数を容易に確定でき、具体的な原理は、この実施形態に類似する。
【０１８０】
実施形態１８：
一部または全部のＡＬにおいてサブフレームＳにおけるｅＣＣＥに含まれるｅＲＥＧ数を組み合わせて検出すべきｅＰＤＣＣＨの個数を確定することができ、例えば、
任意のｅＰＤＣＣＨリソースセットを配置するときにＡＬ１を検出する必要があり、ｅＰＤＣＣＨリソースセットタイプがＤｉｓｔｒｉｂｕｔｅｄであり、ｅＣＣＥに含まれるｅＲＥＧ数が４であると、２つのｅＰＤＣＣＨに対応し、ｅＣＣＥに含まれるｅＲＥＧ数が８であると、４つのｅＰＤＣＣＨに対応する。ｅＰＤＣＣＨリソースセットタイプがＬｏｃａｌｉｚｅｄであり、ｅＣＣＥに含まれるｅＲＥＧ数が４であると、２つのｅＰＤＣＣＨに対応し、ｅＣＣＥに含まれるｅＲＥＧ数が８であると、６つのｅＰＤＣＣＨに対応する。
【０１８１】
他の実施形態に基づいて、ｅＣＣＥに含まれるｅＲＥＧ数を組み合わせて検出すべきｅＰＤＣＣＨの個数を容易に確定でき、具体的な原理はこの実施形態に類似する。
【０１８２】
実施形態１９：
サブフレームＳが非特殊サブフレーム、または配置タイプが３、４、８である特殊サブフレームに属し、かつＮＣＰサブフレームであり、かつＰＲＢ  ｐａｉｒにおけるｅＰＤＣＣＨを伝送するために使用可能なＲＥがある閾値Ｘ例えば１０４より小さい場合、この状況を第Ａタイプの状況として定義し、他の状況をＢタイプの状況として定義し、一部または全部のＡＬにおいてサブフレームＳにおけるｅＣＣＥに含まれるｅＲＥＧ数を組み合わせて検出すべきｅＰＤＣＣＨの個数を確定することができ、例えば、
任意のｅＰＤＣＣＨリソースセットを配置するときにＡＬ１を検出する必要があり、ｅＰＤＣＣＨリソースセットタイプがＤｉｓｔｒｉｂｕｔｅｄであると、Ａタイプの状況に対して、２つのｅＰＤＣＣＨに対応し、Ｂタイプの状況に対して、４つのｅＰＤＣＣＨに対応する。ｅＰＤＣＣＨリソースセットタイプがＬｏｃａｌｉｚｅｄであると、Ａタイプの状況に対して、２つのｅＰＤＣＣＨに対応し、Ｂタイプの状況に対して、６つのｅＰＤＣＣＨに対応する。
【０１８３】
他のＡＬの状況はこれに類似する。
Ａタイプの状況とＢタイプの状況に対する分割は、この前の実施形態を参照することができる。他のサブフレームタイプ、コードレート、ｅＣＣＥにおけるｅＰＤＣＣＨを伝送するために使用可能なＲＥ数などの異なる状況に応じて分割する方法もある。
【０１８４】
他の実施形態に基づいて、サブフレームＳにおけるＤＣＩ  Ｆｏｒｍａｔに対応する符号化速度、サブフレームＳにおけるＰＲＢ  ｐａｉｒにおけるｅＰＤＣＣＨを伝送するために使用可能なＲＥ数、サブフレームＳにおけるｅＣＣＥにおけるｅＰＤＣＣＨを伝送するために使用可能なＲＥ数を組み合わせて、検出すべきｅＰＤＣＣＨの個数を容易に確定し、具体的な原理は、この実施形態に類似する。
【０１８５】
実施形態２０：
Ｓｅｔ  ｉの検出個数Ｘ（ｉ）は、基地局側のブラインド検出割り当てシグナリングのみに基づいて確定されることができる。例えば、基地局は、各ｅＰＤＣＣＨリソースセットのブラインド検出されるｅＰＤＣＣＨの個数に対して割り当てて、またはブラインド検出回数に対して割り当てて、各ｅＰＤＣＣＨリソースセットが１つの割り当てパラメータに対応する。端末は、当該パラメータに基づいて各ｅＰＤＣＣＨリソースセットのブラインド検出されるｅＰＤＣＣＨの個数またはブラインド検出回数を確定する。
【０１８６】
または、いくつかのブラインド検出割り当てモードを事前に約束し、端末は、基地局側の指示シグナリングにより具体的なモードを確定する。
基地局は、各ＡＬのブラインド検出回数に対して割り当てて、端末は、検出すべきＡＬと各ＡＬの割り当てシグナリングにより検出すべきｅＰＤＣＣＨの個数を確定する。
【０１８７】
実施形態２１：
実施形態２０に基づいて、サブフレームＳにおけるｅＣＣＥに含まれるｅＲＥＧ数を更に組み合わせてＳｅｔ  ｉの検出すべきｅＰＤＣＣＨの個数を確定することができる。
実施形態２０に基づいて、サブフレームＳにおけるＤＣＩ  Ｆｏｒｍａｔに対応する符号化速度、サブフレームＳにおけるＰＲＢ  ｐａｉｒにおけるｅＰＤＣＣＨを伝送するために使用可能なＲＥ数、サブフレームＳにおけるｅＣＣＥにおけるｅＰＤＣＣＨを伝送するために使用可能なＲＥ数を更に組み合わせて、Ｓｅｔ  ｉの検出すべきｅＰＤＣＣＨの個数を確定する。
本実施形態の原理は、実施形態１８、１９に類似する。
【０１８８】
実施形態２２：
基地局は、シグナリングにより各Ｓｅｔの検出すべき候補（ｃａｎｄｉｄａｔｅｓ）の個数またはブラインド検出回数を通知する。
例えば、Ｋ=２の場合、基地局は、上位層のシグナリングにより、
Ｓｅｔ１に検出された候補（ｃａｎｄｉｄａｔｅｓ）の個数が８つであり、
Ｓｅｔ２に検出された候補（ｃａｎｄｉｄａｔｅｓ）の個数が８つであり、
または、
Ｓｅｔ１に検出された候補（ｃａｎｄｉｄａｔｅｓ）の個数が１０個であり、
Ｓｅｔ２に検出された候補（ｃａｎｄｉｄａｔｅｓ）の個数が６つであり、
または、
Ｓｅｔ１に検出された候補（ｃａｎｄｉｄａｔｅｓ）の個数が４つであり、
Ｓｅｔ２に検出された候補（ｃａｎｄｉｄａｔｅｓ）の個数が１２個であることを指示する。
【０１８９】
他の上位層のシグナリングにより指示する場合もある。
例えば、Ｋ=３の場合、基地局は、上位層のシグナリングにより、
Ｓｅｔ１に検出された候補（ｃａｎｄｉｄａｔｅｓ）の個数が６つであり、
Ｓｅｔ２に検出された候補（ｃａｎｄｉｄａｔｅｓ）の個数が６つであり、
Ｓｅｔ３に検出された候補（ｃａｎｄｉｄａｔｅｓ）の個数が４つであり、
または、
Ｓｅｔ１に検出された候補（ｃａｎｄｉｄａｔｅｓ）の個数が８つであり、
Ｓｅｔ２に検出された候補（ｃａｎｄｉｄａｔｅｓ）の個数が６つであり、
Ｓｅｔ３に検出された候補（ｃａｎｄｉｄａｔｅｓ）の個数が２つであることを指示する。
他の上位層のシグナリングにより指示する場合もある。
基地局は、制御シグナリングにより各Ｓｅｔの検出回数を柔軟に割り当てることができる。
【０１９０】
実施形態２３：
表３２に示すように、基地局は、シグナリングにより各ｓｅｔにおけるに対応する集約レベルに対応する候補（ｃａｎｄｉｄａｔｅｓ）の個数またはブラインド検出回数を通知する。
【表３２】
2015529430.tif 000034
例えば、Ｋ=２、ｎ=８（ここのｎはＳｅｔに含まれるＰＲＢの個数を確定する１つのパラメータである）、次の表に示す。
【表３３】
2015529430.tif 000035
【０１９１】
Ｓｅｔ１に対して、検出すべきＡＬ=４、８、１６であり、上位層のシグナリングによりシグナリングがＳｅｔ１に割り当てられることを通知し、ＡＬ=４が２つの候補（ｃａｎｄｉｄａｔｅｓ）に対応し、ＡＬ=８が１つの候補（ｃａｎｄｉｄａｔｅｓ）に対応し、ＡＬ=１６が１つの候補（ｃａｎｄｉｄａｔｅｓ）に対応する。Ｓｅｔ２を割り当て、ＡＬ=１が６つ候補（ｃａｎｄｉｄａｔｅｓ）に対応し、ＡＬ=２が６つの候補（ｃａｎｄｉｄａｔｅｓ）に対応する。
【０１９２】
例えば、Ｋ=２、ｎ=４、Ｓｅｔ１に対してＡＬ=４、８を検出する必要があり、上位層のシグナリングによりシグナリングがＳｅｔ１に割り当てられることを通知し、ＡＬ=４が２つの候補（ｃａｎｄｉｄａｔｅｓ）に対応し、上位層のシグナリングによりシグナリングがＳｅｔ１に割り当てられることを通知し、ＡＬ=８が１つの候補（ｃａｎｄｉｄａｔｅｓ）に対応し、Ｓｅｔ１に対してＡＬ=１、２を検出する必要がある。上位層のシグナリングによりシグナリングがＳｅｔ２をに割り当てられることを通知し、ＡＬ=１が７つの候補（ｃａｎｄｉｄａｔｅｓ）に対応し、上位層のシグナリングによりシグナリングがＳｅｔ２に割り当てられることを通知し、ＡＬ=２が６つの候補（ｃａｎｄｉｄａｔｅｓ）を対応する。
【０１９３】
他の場合はこれに類似し、それぞれ各Ｓｅｔの検出すべき各ＡＬに対してシグナリングによりブラインド検出される候補（ｃａｎｄｉｄａｔｅｓ）の個数の割り当てを通知する。
【０１９４】
実施形態２４：
ｅＣＣＥが異なるｅＲＥＧを含む場合に対して、基地局は、Ｋ値の情報、及びＫ個のＳｅｔのブラインド検出される候補（ｃａｎｄｉｄａｔｅｓ）の個数の割り当て情報をそれぞれ通知することができる。
【０１９５】
以上のように、方法でも装置でも、本発明の実施形態に係る制御シグナリング検出及び制御シグナリング検出実現の技術により、各ｅＰＤＣＣＨリソースセットにより割り当てられたブラインド検出回数またはｅＰＤＣＣＨの個数を確定することができ、各ｅＰＤＣＣＨリソースセットにおける検出すべきｅＰＤＣＣＨを確定することができる。
上記は、本発明の好適な実施形態に過ぎなく、本発明の保護範囲を制限することに用いられるものではない。
【図１】
2015529430.tif 000036
【図２】
2015529430.tif 000037
【図３】
2015529430.tif 000038
【図４】
2015529430.tif 000039
【図５】
2015529430.tif 000040
【図６】
2015529430.tif 000041
【手続補正書】
【提出日】平成27年3月27日(2015.3.27)
【手続補正１】
【補正対象書類名】特許請求の範囲
【補正対象項目名】全文
【補正方法】変更
【補正の内容】
【特許請求の範囲】
【請求項１】
制御シグナリング検出方法であって、
サブフレームＳにおいて、端末がＫ個の強化型物理ダウンリンク制御チャンネル（ｅＰＤＣＣＨ）リソースセット内に制御シグナリングを検出し、端末がｅＰＤＣＣＨリソースセットにおけるセット（Ｓｅｔ）ｉに検出したｅＰＤＣＣＨの個数がＸ(ｉ)であり、ｉが整数であり、０<ｉ<=Ｋであり、少なくとも１つのＸ（ｉ）が第１タイプのパラメータに基づいて確定され、前記第１タイプのパラメータが少なくともＫ値またはＫ値とｅＰＤＣＣＨリソースセットのインデックスｉを含むこと、を含むことを特徴とする方法。
【請求項２】
第１タイプのパラメータは、少なくともＫ値、インデックスｉ及びＫ個のｅＰＤＣＣＨリソースセットのＮ値を含み、または、
第１タイプのパラメータは、少なくともＫ値、インデックスｉ及びＳｅｔ  ｉのＮ値を含み、または、
第１タイプのパラメータは、少なくともＫ値、インデックスｉ及びＫ個のｅＰＤＣＣＨリソースセットのＤ/Ｌタイプの配置を含み、または、
第１タイプのパラメータは、少なくともＫ値、インデックスｉ及びＳｅｔ  ｉのＤ/Ｌタイプの配置を含み、または、
第１タイプのパラメータは、少なくともＫ値、インデックスｉ、Ｋ個のｅＰＤＣＣＨリソースセットに対応するＤ/Ｌタイプ及びＫ個のｅＰＤＣＣＨリソースセットのＮ値を含むことを特徴とする、請求項１に記載の方法。
【請求項３】
第１タイプのパラメータは、更に上位層のｅＰＤＣＣＨ候補（ｃａｎｄｉｄａｔｅｓ）の個数またはブラインド検出回数の割り当てシグナリングを含み、または、
第１タイプのパラメータは、更にサブフレームＳにおける強化型制御チャンネルユニット（ｅＣＣＥ）に含まれる強化型リソースエレメントグループ（ｅＲＥＧ）の数を含み、または、
第１タイプのパラメータは、更にＳｅｔ  ｉにおける検出すべき集約レベルまたはＫ個のｅＰＤＣＣＨリソースセットにおける検出すべき集約レベルを含むことを特徴とする、請求項２に記載の方法。
【請求項４】
第１タイプのパラメータは、更にサブフレームタイプ及び/または、サブフレームＳにおけるＤＣＩ  Ｆｏｒｍａｔ（フォーマット）に対応する符号化速度、サブフレームＳにおける物理リソースブロックペア（ＰＲＢ  ｐａｉｒ）におけるｅＰＤＣＣＨを伝送するために使用可能なリソースエレメント（ＲＥ）の数、サブフレームＳにおけるｅＣＣＥにおけるｅＰＤＣＣＨを伝送するために使用可能なＲＥの数のうちの１つを含むことを特徴とする、請求項１〜３のいずれか１項に記載の方法。
【請求項５】
制御シグナリング検出方法であって、
サブフレームＳにおいて、端末がＫ個のｅＰＤＣＣＨリソースセット内に制御シグナリングを検出し、端末がｅＰＤＣＣＨリソースセットにおけるセット（Ｓｅｔ）ｉに検出したｅＰＤＣＣＨの個数がＸ(ｉ)であり、ｉが整数であり、０<ｉ<=Ｋであり、少なくとも１つのＸ（ｉ）が第１タイプのパラメータに基づいて確定され、第１タイプのパラメータが少なくともＳｅｔ  ｉに検出される集約レベルセットまたはＫ個のｅＰＤＣＣＨリソースセットにそれぞれ対応する、検出される集約レベルセットを含むことを、含むことを特徴とする方法。
【請求項６】
第１タイプのパラメータは、少なくとも更にＳｅｔ  ｉのＤ/Ｌタイプを含み、または、
第１タイプのパラメータは、少なくとも更にＫ個のｅＰＤＣＣＨリソースセットのＤ/Ｌタイプを含み、または、
第１タイプのパラメータは、少なくとも更にＳｅｔ  ｉのＮ値を含み、または、
第１タイプのパラメータは、少なくとも更にＫ個のｅＰＤＣＣＨリソースセットのＮ値を含み、または、
第１タイプのパラメータは、少なくとも更にＳｅｔ  ｉのｅＰＤＣＣＨリソースセットのＮ値とＤ/Ｌタイプを含み、または、
第１タイプのパラメータは、少なくとも更にＫ個のｅＰＤＣＣＨリソースセットのＮ値とこのＫ個のｅＰＤＣＣＨリソースセットのＤ/Ｌタイプを含み、または、
第１タイプのパラメータは、少なくとも更に上位層のｅＰＤＣＣＨ候補（ｃａｎｄｉｄａｔｅｓ）の個数またはブラインド検出回数の割り当てシグナリングを含み、または、
第１タイプのパラメータは、少なくとも更にサブフレームＳにおけるｅＣＣＥに含まれるｅＲＥＧの数を含むことを特徴とする、請求項５に記載の方法。
【請求項７】
第１タイプのパラメータは、少なくとも更にサブフレームタイプ及び/または、サブフレームＳにおけるＤＣＩ  Ｆｏｒｍａｔに対応する符号化速度、サブフレームＳにおけるＰＲＢ  ｐａｉｒにおけるｅＰＤＣＣＨを伝送するために使用可能なＲＥ数、サブフレームＳにおけるｅＣＣＥにおけるｅＰＤＣＣＨを伝送するために使用可能なＲＥ数のうちの１つを含むことを特徴とする、請求項５または６に記載の方法。
【請求項８】
制御シグナリング検出方法であって、
サブフレームＳにおいて、端末がＫ個のｅＰＤＣＣＨリソースセット内に制御シグナリングを検出し、端末がｅＰＤＣＣＨリソースセットにおけるセット（Ｓｅｔ）ｉに検出したｅＰＤＣＣＨの個数がＸ(ｉ)であり、ｉが整数であり、０<ｉ<=Ｋであり、少なくとも１つのＸ（ｉ）が第１タイプのパラメータに基づいて確定され、第１タイプのパラメータが少なくとも上位層のブラインド検出回数割り当てシグナリングを含み、
第１タイプのパラメータは、少なくとも更にサブフレームタイプ及び/または、サブフレームＳにおけるＤＣＩ  Ｆｏｒｍａｔに対応する符号化速度、サブフレームＳにおけるＰＲＢ  ｐａｉｒにおけるｅＰＤＣＣＨを伝送するために使用可能なＲＥ数、サブフレームＳにおけるｅＣＣＥにおけるｅＰＤＣＣＨを伝送するために使用可能なＲＥ数のうちの１つを含むことを特徴とする方法。
【請求項９】
制御シグナリング検出装置であって、
サブフレームＳにおいて、Ｋ個のｅＰＤＣＣＨリソースセット内に制御シグナリングを検出し、ｅＰＤＣＣＨリソースセットにおけるセット（Ｓｅｔ）ｉに検出されたｅＰＤＣＣＨの個数がＸ(ｉ)であり、ｉが整数であり、０<ｉ<=Ｋであり、少なくとも１つのＸ（ｉ）が第１タイプのパラメータに基づいて確定され、前記第１タイプのパラメータが少なくともＫ値またはＫ値とｅＰＤＣＣＨリソースセットのインデックスｉを含むように配置されることを特徴とする装置。
【請求項１０】
第１タイプのパラメータは、少なくともＫ値、インデックスｉ及びＫ個のｅＰＤＣＣＨリソースセットのＮ値を含み、または、
第１タイプのパラメータは、少なくともＫ値、インデックスｉ及びＳｅｔ  ｉのＮ値を含み、または、
第１タイプのパラメータは、少なくともＫ値、インデックスｉ及びＫ個のｅＰＤＣＣＨリソースセットのＤ/Ｌタイプの配置を含み、または、
第１タイプのパラメータは、少なくともＫ値、インデックスｉ及びＳｅｔ  ｉのＤ/Ｌタイプの配置を含み、または、
第１タイプのパラメータは、少なくともＫ値、インデックスｉ、Ｋ個のｅＰＤＣＣＨリソースセットに対応するＤ/Ｌタイプ及びＫ個のｅＰＤＣＣＨリソースセットのＮ値を含むことを特徴とする、請求項９に記載の装置。
【請求項１１】
第１タイプのパラメータは、更に上位層のｅＰＤＣＣＨ候補（ｃａｎｄｉｄａｔｅｓ）の個数またはブラインド検出回数の割り当てシグナリングを含み、または、
第１タイプのパラメータは、更にサブフレームＳにおけるｅＣＣＥに含まれる強化型リソースエレメントグループ（ｅＲＥＧ）数を含み、または、
第１タイプのパラメータは、更にＳｅｔ  ｉにおける検出すべき集約レベルまたはＫ個のｅＰＤＣＣＨリソースセットにおける検出すべき集約レベルを含むことを特徴とする、請求項１０に記載の装置。
【請求項１２】
第１タイプのパラメータは、更にサブフレームタイプ及び/または、サブフレームＳにおけるＤＣＩ  Ｆｏｒｍａｔに対応する符号化速度、サブフレームＳにおけるＰＲＢ  ｐａｉｒにおけるｅＰＤＣＣＨを伝送するために使用可能なＲＥ数、サブフレームＳにおけるｅＣＣＥにおけるｅＰＤＣＣＨを伝送するために使用可能なＲＥ数のうちの１つを含むことを特徴とする、請求項９〜１１のいずれか１項に記載の装置。
【請求項１３】
制御シグナリング検出装置であって、
サブフレームＳにおいて、Ｋ個のｅＰＤＣＣＨリソースセット内に制御シグナリングを検出し、ｅＰＤＣＣＨリソースセットにおけるセット（Ｓｅｔ）ｉに検出されたｅＰＤＣＣＨの個数がＸ(ｉ)であり、ｉが整数であり、０<ｉ<=Ｋであり、少なくとも１つのＸ（ｉ）が第１タイプのパラメータに基づいて確定され、第１タイプのパラメータが少なくともＳｅｔ  ｉに検出される集約レベルセットまたはＫ個のｅＰＤＣＣＨリソースセットにそれぞれ対応する、検出される集約レベルセットを含むように配置されることを特徴とする装置。
【請求項１４】
第１タイプのパラメータは、少なくとも更にＳｅｔ  ｉのＤ/Ｌタイプを含み、または、
第１タイプのパラメータは、少なくとも更にＫ個のｅＰＤＣＣＨリソースセットのＤ/Ｌタイプを含み、または、
第１タイプのパラメータは、少なくとも更にＳｅｔ  ｉのＮ値を含み、または、
第１タイプのパラメータは、少なくとも更にＫ個のｅＰＤＣＣＨリソースセットのＮ値を含み、または、
第１タイプのパラメータは、少なくとも更にＳｅｔ  ｉのｅＰＤＣＣＨリソースセットのＮ値とＤ/Ｌタイプを含み、または、
第１タイプのパラメータは、少なくとも更にＫ個のｅＰＤＣＣＨリソースセットのＮ値とこのＫ個のｅＰＤＣＣＨリソースセットのＤ/Ｌタイプを含み、または、
第１タイプのパラメータは、少なくとも更に上位層のｅＰＤＣＣＨ候補（ｃａｎｄｉｄａｔｅｓ）の個数またはブラインド検出回数の割り当てシグナリングを含み、または、
第１タイプのパラメータは、少なくとも更にサブフレームＳにおけるｅＣＣＥに含まれるｅＲＥＧの数を含むことを特徴とする、請求項１３に記載の装置。
【請求項１５】
第１タイプのパラメータは、少なくとも更にサブフレームタイプ及び/または、サブフレームＳにおけるＤＣＩ  Ｆｏｒｍａｔに対応する符号化速度、サブフレームＳにおけるＰＲＢ  ｐａｉｒにおけるｅＰＤＣＣＨを伝送するために使用可能なＲＥ数、サブフレームＳにおけるｅＣＣＥにおけるｅＰＤＣＣＨを伝送するために使用可能なＲＥ数のうちの１つを含むことを特徴とする、請求項１３または１４に記載の装置。
【請求項１６】
制御シグナリング検出装置であって、
サブフレームＳにおいて、Ｋ個のｅＰＤＣＣＨリソースセット内に制御シグナリングを検出し、ｅＰＤＣＣＨリソースセットにおけるセット（Ｓｅｔ）ｉに検出されたｅＰＤＣＣＨの個数がＸ(ｉ)であり、ｉが整数であり、０<ｉ<=Ｋであり、少なくとも１つのＸ（ｉ）が第１タイプのパラメータに基づいて確定され、第１タイプのパラメータが少なくとも上位層のブラインド検出回数割り当てシグナリングを含むように配置され、
第１タイプのパラメータは、少なくとも更にサブフレームタイプ及び/または、サブフレームＳにおけるＤＣＩ  Ｆｏｒｍａｔに対応する符号化速度、サブフレームＳにおけるＰＲＢ  ｐａｉｒにおけるｅＰＤＣＣＨを伝送するために使用可能なＲＥ数、サブフレームＳにおけるｅＣＣＥにおけるｅＰＤＣＣＨを伝送するために使用可能なＲＥ数のうちの１つを含むことを特徴とする装置。
【国際調査報告】
2015529430.tif 000042
2015529430.tif 000043
2015529430.tif 000044
2015529430.tif 000045